(57)【要約】【課題】回転中心とパターン中心とが位置ずれした状態においても各データ記録トラックに再生素子や記録素子を確実にオントラックさせる。【解決手段】データ記録トラックが設けられたトラックパターンを有する磁気ディスク１０と、再生素子３ｒおよび記録素子３ｗを有する磁気ヘッド３と、いずれか一方の素子をデータ記録トラックにトラッキングさせるトラッキングサーボ制御を実行する制御部７と、ヘッド位置を調整する調整量を求めるためのオフセット量を特定可能なオフセット量情報Ｄｏを記憶する記憶部とを備え、記憶部は、オフセット量情報Ｄｏとして、データ記録トラックの一周当りに互いに相違する少なくとも２つ以上のオフセット量を特定する情報を記憶し、制御部７は、いずれか一方の素子に対するトラッキングサーボ制御時に、オフセット量情報Ｄｏに基づいて特定したオフセット量に応じて調整量を１回転当りに１回以上変化させる。【選択図】図１
2008210434.tif 000002
【特許請求の範囲】
【請求項１】
同心円状または螺旋状のデータ記録トラックが設けられたトラックパターンを有する回転型の磁気記録媒体と、
前記磁気記録媒体からの磁気的信号の読み出しを行う再生素子および当該磁気記録媒体に対する磁気的信号の書き込みを行う記録素子を有する複合型の磁気ヘッドと、
前記磁気記録媒体上において前記磁気ヘッドを移動させて前記再生素子および前記記録素子のいずれか一方の素子を前記データ記録トラックにトラッキングさせるトラッキングサーボ制御を実行する制御部と、
前記トラッキングサーボ制御時において前記磁気ヘッドのヘッド位置を調整する調整量を求めるためのオフセット量を特定可能なオフセット量情報を記憶する記憶部とを備え、
前記記憶部は、前記オフセット量情報として、前記データ記録トラックの一周当りにおいて互いに相違する少なくとも２つ以上の前記オフセット量を特定する情報を記憶し、
前記制御部は、前記いずれか一方の素子に対する前記トラッキングサーボ制御時において、前記オフセット量情報に基づいて特定したオフセット量に応じて前記調整量を前記磁気記録媒体の１回転当りに１回以上変化させて前記ヘッド位置を調整する記録再生装置。
【請求項２】
前記記憶部は、前記オフセット量情報として、前記トラックパターンの半径方向および周方向の両方向で前記磁気記録媒体を分割した複数の制御対象領域に対応してそれぞれ規定された前記オフセット量を複数記憶し、
前記制御部は、前記一方の素子に対する前記トラッキングサーボ制御時において、所定の１つの前記制御対象領域に含まれる前記データ記録トラックにトラッキングさせる際に当該１つの制御対象領域に対応して規定された前記オフセット量に基づいて前記調整量を求めて前記ヘッド位置を調整する請求項１記載の記録再生装置。
【請求項３】
前記記憶部は、前記オフセット量情報として、前記トラックパターンの半径方向および周方向の両方向で前記磁気記録媒体を分割した複数の制御対象領域のうちの一部の制御対象領域に対応してそれぞれ規定された前記オフセット量を複数記憶し、
前記制御部は、前記一方の素子に対する前記トラッキングサーボ制御時において、前記一部の制御対象領域のうちの所定の１つに含まれる前記データ記録トラックにトラッキングさせる際に当該１つの制御対象領域に対応して規定された前記オフセット量に基づいて前記調整量を求めて前記ヘッド位置を調整すると共に、前記一部の制御対象領域以外の前記制御対象領域のうちの所定の１つに含まれる前記データ記録トラックにトラッキングさせる際に前記オフセット量情報を用いた補完処理によって当該１つの制御対象領域に対応する前記オフセット量を求めて当該求めたオフセット量に基づいて前記調整量を求めて前記ヘッド位置を調整する請求項１記載の記録再生装置。
【請求項４】
前記制御部は、前記オフセット量情報を生成して前記記憶部に記憶させるオフセット量情報取得処理を実行可能に構成され、当該オフセット量情報取得処理時において、前記磁気記録媒体上の各同一回転半径位置に対応する基準オフセット量を所定のピッチで取得する基準オフセット量取得処理と、前記磁気記録媒体上の所定の同一パターン半径位置と前記各同一回転半径位置のうちの所定の１つとの間の当該磁気記録媒体の回転半径方向に沿った離間距離を当該磁気記録媒体の回転方向に沿った各回転位置に対応して所定のピッチで取得する離間距離取得処理と、前記各同一回転半径位置に対応する前記基準オフセット量および前記各回転位置に対応する前記離間距離に基づいて前記磁気記録媒体上の所望の記録再生位置に対応する前記オフセット量を特定するオフセット量特定処理とを実行して、当該特定したオフセット量に基づいて前記オフセット量情報を生成する請求項１から３のいずれかに記載の記録再生装置。
【請求項５】
前記制御部は、前記オフセット量情報を生成して前記記憶部に記憶させるオフセット量情報取得処理を実行可能に構成され、当該オフセット量情報取得処理時において、前記磁気記録媒体上の各同一パターン半径位置に対応する基準オフセット量を所定のピッチで取得する基準オフセット量取得処理と、前記磁気記録媒体上の所定の同一回転半径位置と前記各同一パターン半径位置のうちの所定の１つとの間の前記トラックパターンのパターン半径方向に沿った離間距離を当該磁気記録媒体の回転方向に沿った各回転位置に対応して所定のピッチで取得する離間距離取得処理と、前記各同一パターン半径位置に対応する前記基準オフセット量および前記各回転位置に対応する前記離間距離に基づいて前記磁気記録媒体上の所望の記録再生位置に対応する前記オフセット量を特定するオフセット量特定処理とを実行して、当該特定したオフセット量に基づいて前記オフセット量情報を生成する請求項１から３のいずれかに記載の記録再生装置。
【請求項６】
前記制御部は、前記基準オフセット量取得処理時において、トラック番号に関連付けて前記基準オフセット量を取得し、前記離間距離取得処理時において、前記磁気記録媒体を回転させつつ、前記磁気ヘッドを前記所定の同一回転半径位置に位置させた状態を維持して当該所定の同一回転半径位置の各セクタから前記再生素子を介してセクタ番号およびトラック番号を読み出すと共に、当該所定の同一回転半径位置の各セクタを前記各回転位置として、前記所定の１つの同一パターン半径位置としての基準トラックのトラック番号と、前記各セクタ毎に読み出されたトラック番号とに基づいて、当該各セクタと当該基準トラックとの間のトラック数を前記離間距離としてそれぞれ取得し、前記オフセット量特定処理時において、前記所定の同一回転半径位置の各セクタのうちの前記パターン中心に対して前記所望の記録再生位置と同方向に位置する当該セクタの前記離間距離として取得された前記トラック数分だけ当該所望の記録再生位置から離間するトラックのトラック番号に関連付けられた前記基準オフセット量を当該所望の記録再生位置のオフセット量として特定する請求項４または５記載の記録再生装置。
【請求項７】
前記制御部は、前記オフセット量情報を生成して前記記憶部に記憶させるオフセット量情報取得処理を実行可能に構成され、当該オフセット量情報取得処理時において、前記記憶部に記憶させる前記オフセット量のすべてを対応する前記各制御対象領域毎に個別的に測定して当該オフセット量情報を生成する請求項２または３記載の記録再生装置。
【請求項８】
前記制御部は、前記オフセット量情報を生成して前記記憶部に記憶させるオフセット量情報取得処理を実行可能に構成され、当該オフセット量情報取得処理時において、前記記憶部に記憶させるすべての前記オフセット量のうちの一部の当該オフセット量を対応する前記各制御対象領域毎に個別的に測定すると共に、前記記憶部に記憶させるすべての前記オフセット量のうちの前記一部のオフセット量以外のオフセット量を当該一部のオフセット量を用いた補完処理によって求め、前記測定したオフセット量と前記求めたオフセット量とに基づいて前記オフセット量情報を生成する請求項２または３記載の記録再生装置。
【請求項９】
同心円状または螺旋状のデータ記録トラックが設けられたトラックパターンを有する回転型の磁気記録媒体上において、当該磁気記録媒体からの磁気的信号の読み出しを行う再生素子および当該磁気記録媒体に対する磁気的信号の書き込みを行う記録素子を有する複合型の磁気ヘッドを移動させて当該再生素子および当該記録素子のいずれか一方の素子を前記データ記録トラックにトラッキングさせるトラッキングサーボ制御方法であって、
前記いずれか一方の素子に対するトラッキングサーボ制御時において、互いに相違する少なくとも２つ以上のオフセット量を特定可能なオフセット情報に基づいて特定した当該オフセット量に応じて前記磁気ヘッドのヘッド位置を調整する調整量を前記磁気記録媒体の１回転当りに１回以上変化させて前記ヘッド位置を調整するトラッキングサーボ制御方法。
【発明の詳細な説明】
【技術分野】
【０００１】
本発明は、磁気記録媒体上の所望のデータ記録トラックに磁気ヘッドをトラッキングさせる記録再生装置およびトラッキングサーボ制御方法に関するものである。
【背景技術】
【０００２】
この種の記録再生装置として、オフセット量の測定処理を実行してトラッキングサーボ制御用のオフセット量情報を取得可能に構成されたハードディスクドライブ装置（磁気記録装置）が特開２００５−１６６１１５号公報に開示されている。この磁気記録装置は、ディスクリート領域（データトラックパターン領域）における各トラック（各データ記録トラック）の間に非磁性領域（ガードバンド部）が形成されたディスクリートトラック型のハードディスク（磁気記録媒体）と、再生ヘッド（再生素子）および記録ヘッド（記録素子）を有する複合型の磁気ヘッドと、磁気記録媒体上における内周部と外周部との間において磁気ヘッドを移動させる駆動機構部と、磁気記録装置を総括的に制御する制御部とを備えている。また、上記の磁気記録媒体には、領域内に非磁性領域が形成されることなく全域が磁性体で構成されたオフセット量測定領域がディスクリート領域とサーボ領域（サーボパターン領域）との間に設けられている。
【０００３】
この磁気記録装置の使用に際しては、まず、オフセット量情報を取得する測定処理を実行する。具体的には、まず、磁気記録媒体におけるオフセット量測定領域を初期化すると共に、オフセット量測定用の信号（測定パターン：以下、「測定用信号」ともいう）をオフセット量測定領域に書き込む。この際には、例えば最内周のデータ記録トラックに再生ヘッドをオントラックさせた状態（最内周のデータ記録トラックと同一のパターン半径位置に再生ヘッドを位置させた状態）において、記録ヘッドを介してオフセット量測定領域に測定用信号を書き込む。この場合、この種の磁気記録装置では、磁気記録媒体における内周部側または外周部側のデータ記録トラック上に磁気ヘッドを移動させたときに、記録ヘッドにおける記録幅方向の中心と再生ヘッドにおける読み出し幅方向の中心とを結んだ線分（一例として、アームの延在方向と平行な線分）に対してデータ記録トラックの中心線が交差した状態（スキュー角が生じた状態）となる。したがって、内周部または外周部の所定のデータ記録トラックに再生ヘッドをオントラックさせたとき（再生ヘッドにおける読み出し幅方向の中心をデータ記録トラックにおける幅方向の中心（トラック中心）に一致させたとき）には、記録ヘッドにおける記録幅方向の中心がデータ記録トラックのトラック中心から外れて記録ヘッドがオフトラックした状態（オフセットされた状態）となる。このため、記録ヘッドがオフトラックしている量（オフセット量）に応じた分だけそのトラック中心から外れた部位に測定用信号が記録される。
【０００４】
次いで、オフセット量測定領域から再生ヘッドを介して測定用信号を読み出すことにより、測定用信号が書き込まれた領域の半径方向における中心、すなわち、測定用信号の書き込み時において記録ヘッドにおける記録幅方向の中心と一致していた位置を特定する。具体的には、再生ヘッドを磁気記録媒体の半径方向に所定量ずつ移動させつつ、オフセット量測定領域から測定用信号を読み出す。この際に、測定用信号の書込み領域に対して再生ヘッドが内周側または外周側に外れた状態では、読み出した測定用信号についての再生信号の出力レベル（振幅値）が小さくなる。これに対して、測定用信号の書込み領域における半径方向の中心と再生ヘッドにおける読み出し幅方向（半径方向）の中心とが一致する状態では、読み出した測定用信号についての再生信号の出力レベルが極大値なる。したがって、制御部は、測定用信号についての再生信号の出力レベルが極大値となったときの再生ヘッドの中心位置を測定用信号が書き込まれた領域の半径方向における中心として特定し、特定した中心と、測定用信号の書き込み時における再生ヘッドの中心（すなわち、データ記録トラックのトラック中心）との間の距離を再生ヘッドに対する記録ヘッドのオフセット量として取り込む。
【０００５】
このようなオフセット量の測定処理を磁気記録媒体の内周部から外周部まで例えば数トラックおきに実行する。また、オフセット量の測定処理を実行しなかったデータ記録トラックについては、その内周側および外周側のデータ記録トラックについて取り込んだオフセット量を用いた補完処理によってオフセット量を取得する。これにより、磁気記録媒体の内周部から外周部までのすべてのデータ記録トラックについて、対応するオフセット量（各データ記録トラック毎の最適オフセット量）がそれぞれ取得され、トラッキングサーボ制御用のオフセット量情報として磁気記録装置の記憶部に記憶される。
【０００６】
一方、この種の磁気記録装置において磁気記録媒体に記録データを記録する際には、記憶部に記憶されているオフセット量情報を用いたトラッキングサーボ制御が実行される。具体的には、上記の磁気記録装置では、例えば磁気記録媒体の内周部における所望のデータ記録トラックに記録データを記録する際に、制御部が、記録ヘッドにおける記録幅方向の中心とディスクリート領域における所望のデータ記録トラックのトラック中心とが一致するように駆動機構部を制御するトラッキングサーボ制御処理を実行する。この際に、制御部は、記録ヘッドをオントラックさせるべきディスクリート領域の手前のサーボ領域上を磁気ヘッドが通過した際に再生ヘッドを介して読み出したサーボ信号に基づいて特定した基準位置（一例として、サーボパターンによって規定されたデータ記録トラックのトラック中心）に対して、記録ヘッドをオントラックさせるべきデータ記録トラックについてのオフセット量情報として記憶部に記憶されているオフセット量に基づいて求めた調整量（一例として、オフセット量と等しい量）を目標値として磁気ヘッドのヘッド位置を例えば内周側に調整する。これにより、記録ヘッドが所望のデータ記録トラックにオントラックした状態において、記録データが磁気的信号として書き込まれる。
【特許文献１】特開２００５−１６６１１５号公報（第７−１８頁、第１−２６図）
【発明の開示】
【発明が解決しようとする課題】
【０００７】
ところが、従来の磁気記録装置（以下、「記録再生装置」ともいう）には、以下の問題点がある。すなわち、従来の記録再生装置では、磁気記録媒体（以下、「磁気ディスク」ともいう）の内周部から外周部までのすべてのデータ記録トラックについて、測定処理、およびその測定結果を用いた補完処理によってオフセット量（最適オフセット量）を取得しておき、１つのデータ記録トラックにつき１つのオフセット量を用いたトラッキングサーボ制御によって磁気ヘッドを所望のデータ記録トラックにオントラックさせる構成が採用されている。この場合、この種の記録再生装置では、モータの回転軸に対する磁気ディスクの取り付け時において、データトラックパターンやサーボパターンのパターン中心と回転軸の中心（すなわち、磁気ディスクの回転中心）とが位置ずれした状態（磁気ディスクが偏心した状態）となる。具体的には、例えば、図１５に示すように、モータに対する磁気ディスク１０の取り付け工程においてデータトラックパターンおよびサーボパターンのパターン中心Ｃｐがモータの回転軸から位置ずれした状態で取り付けられることにより、磁気ディスク１０の回転中心Ｃｒとパターン中心Ｃｐとが位置ずれした状態となる。
【０００８】
このような状態において、所定のデータ記録トラックに例えば再生素子３ｒをオントラックさせた状態を維持しつつ磁気ディスク１０を矢印Ｒの向きに回転させたときには、アクチュエータ４に対して同図に一点鎖線で示す位置にデータ記録トラックのトラック中心Ｃｔが位置している状態（再生素子３ｒが位置Ｐ１に位置している状態）から同図に二点鎖線で示す位置にデータ記録トラックのトラック中心Ｃｔが位置する状態（再生素子３ｒが位置Ｐ２に位置している状態）までの間（この例では、磁気ディスク１０が１８０°回転する間）において、スイングアーム４ａが回動中心Ｃ４を中心として矢印Ｂ１の向きで回動する。また、アクチュエータ４に対して同図に二点鎖線で示す位置にトラック中心Ｃｔが位置している状態（再生素子３ｒが位置Ｐ２に位置している状態）から同図に一点鎖線で示す位置にトラック中心Ｃｔが位置する状態（再生素子３ｒが位置Ｐ１に位置している状態）までの間（この例では、磁気ディスク１０がさらに１８０°回転する間）において、スイングアーム４ａが回動中心Ｃ４を中心として矢印Ｂ２の向きで回動する。
【０００９】
この際に、再生素子３ｒをデータ記録トラックにオントラックさせた状態において、記録素子３ｗにおける記録幅方向の中心と再生素子３ｒにおける読み出し幅方向の中心とを結んだ線分（スイングアーム４ａの延在方向と平行な線分）に対してデータ記録トラックのトラック中心Ｃｔが交差しているときには、前述したように、記録素子３ｗにおける記録幅方向の中心がそのトラック中心Ｃｔから外れて記録素子３ｗがオフトラックした状態となる。この場合、記録素子３ｗがオフトラックしている量（オフセット量）は、スイングアーム４ａの回動量に対応して変化する。具体的には、図１６の左図に示すように、記録素子３ｗにおける記録幅方向の中心Ｃ３ｗとデータ記録トラックのトラック中心Ｃｔとの磁気ディスク１０における半径方向に沿った距離（オフセット量）は、再生素子３ｒにおける読み出し幅方向の中心Ｃ３ｒを位置Ｐ１においてデータ記録トラックのトラック中心Ｃｔに位置させた際には、そのトラック中心Ｃｔと中心Ｃ３ｗとの半径方向に沿った距離Ｈａとなり、図１６の右図に示すように、再生素子３ｒの中心Ｃ３ｒを位置Ｐ２においてデータ記録トラックのトラック中心Ｃｔに位置させた際には、そのトラック中心Ｃｔと中心Ｃ３ｗとの半径方向に沿った距離Ｈｂとなる。
【００１０】
このように、回転中心Ｃｒとパターン中心Ｃｐとが位置ずれした状態においては、所定のデータ記録トラックに再生素子３ｒをオントラックさせた状態（所定のデータ記録トラックにおけるトラック中心Ｃｔに中心Ｃ３ｒを位置合わせした状態）において、データ記録トラックのトラック中心Ｃｔと記録素子３ｗの中心Ｃ３ｗとの間の距離が磁気ディスク１０が１回転する間に逐次変化する。しかしながら、従来の記録再生装置では、１つのデータ記録トラックにつき１つのオフセット量を用いたトラッキングサーボ制御によって記録素子３ｗを所望のデータ記録トラックにオントラックさせる構成が採用されているため、回転中心Ｃｒとパターン中心Ｃｐとが位置ずれした状態において、所望のデータ記録トラックに記録素子３ｗをオントラックさせた状態（所定のデータ記録トラックにおけるトラック中心Ｃｔに記録素子３ｗの中心Ｃ３ｗを位置合わせした状態）を維持するのが困難となっている。
【００１１】
具体的には、所定のデータ記録トラックについてのオフセット量として、上記の距離Ｈａが規定されていた場合、図１７の左図に示すように、上記の位置Ｐ１の近傍においては、オフセット量としての距離Ｈａに基づいて求めた調整量（一例として、距離Ｈａと等しい量）を目標値として磁気ヘッド３のヘッド位置を調整することで、所望のデータ記録トラックにおけるトラック中心Ｃｔに記録素子３ｗの中心Ｃ３ｗを一致させる（記録素子３ｗをオントラックさせる）ことができる。しかしながら、図１７の右図に示すように、上記の位置Ｐ２の近傍においては、オフセット量としての距離Ｈａに基づいて求めた調整量を目標値として磁気ヘッド３のヘッド位置を調整したときに、距離Ｈａと距離Ｈｂとの差である距離Ｈｃだけ所望のデータ記録トラックにおけるトラック中心Ｃｔに対して記録素子３ｗの中心Ｃ３ｗが位置ずれした状態（記録素子３ｗがオフトラックした状態）となる。このため、従来の記録再生装置には、データ記録トラックに対する磁気的信号の書き込み幅が不足する（データ記録トラックにおける幅方向の一部のみに磁気的信号が書き込まれる）ことで正常な記録が困難となるおそれがある。また、上記の位置ずれ量（距離Ｈｃ）がさらに大きい場合には、所望のデータ記録トラックに隣接するデータ記録トラックに対して磁気的信号を書き込むサイドライト現象を招くおそれもある。
【００１２】
一方、１つのデータ記録トラックにつき１つのオフセット量を用いたトラッキングサーボ制御を実行するタイプの記録再生装置であって、かつ、連続記録膜型の磁気記録媒体（以下、「連続記録膜型の磁気ディスク」ともいう）を搭載した記録再生装置のなかには、ディスクリートトラック型の磁気記録媒体を備えた上記の記録再生装置とは異なり、一例として、サーボパターンによって規定される仮想的なデータ記録トラックのトラック中心Ｃｔ（一例として、サーボトラックのトラック中心）に再生素子３ｒの中心Ｃ３ｒを位置合わせした状態で磁気ディスクを回転させたときに、記録素子３ｗが通過する位置に実際のデータ記録トラックが形成される（磁気的信号の書き込みによってその磁気的信号を書き込んだ部位がデータ記録トラックとなる）構成が採用されたタイプの装置が存在する。具体的には、図１８の左図に示すように、連続記録膜型の磁気ディスク１０Ｄを有する記録再生装置では、再生素子３ｒが位置Ｐ１において仮想的なデータ記録トラックのトラック中心Ｃｔに位置している状態において記録素子３ｗを介して磁気的信号が書き込まれたときには、そのトラック中心Ｃｔから距離Ｈａだけ離間した部位（破線Ｌ１１ａで示す部位）をトラック中心Ｃｔｘとして実際のデータ記録トラックが形成される。また、図１８の右図に示すように、再生素子３ｒが位置Ｐ２において仮想的なデータ記録トラックのトラック中心Ｃｔに位置している状態において記録素子３ｗを介して磁気的信号が書き込まれたときには、そのトラック中心Ｃｔから距離Ｈｂだけ離間した部位（破線Ｌ１１ｂで示す部位）をトラック中心Ｃｔｘとして実際のデータ記録トラックが形成される。
【００１３】
この場合、連続記録膜型の磁気ディスク１０Ｄを搭載した上記の記録再生装置では、ディスクリートトラック型の磁気ディスク１０を搭載した記録再生装置とは異なり、記録素子３ｗの中心Ｃ３ｗがサーボパターンによって規定される仮想的なデータ記録トラックのトラック中心Ｃｔから位置ずれした状態であっても、記録素子３ｗがガードバンド部上に位置することがないため、磁気ディスク１０Ｄに対する磁気的信号の書き込み幅が不足することなく、十分な幅で磁気的信号が書き込まれる。また、記録素子３ｗを介して磁気的信号を書き込んだ部位にデータ記録トラックが形成されるため、サイドライト現象を招くおそれもない。しかしながら、回転中心Ｃｒとパターン中心Ｃｐとが位置ずれした状態において、従来の記録再生装置のように１つのデータ記録トラックにつき１つのオフセット量を用いたトラッキングサーボ制御によって磁気ディスク１０Ｄから記録データを読み出そうとした場合には、所望のデータ記録トラックに再生素子３ｒをオントラックさせた状態（記録素子３ｗによる磁気的信号の書き込みによって形成された実際のデータ記録トラックのトラック中心Ｃｔｘに再生素子３ｒの中心Ｃ３ｒを位置合わせした状態）を維持するのが困難となっている。
【００１４】
具体的には、所定のデータ記録トラックについてのオフセット量として、上記の距離Ｈａが規定されていた場合には、図１９の左図に示すように、上記の位置Ｐ１の近傍においては、オフセット量としての距離Ｈａに基づいて求めた調整量（一例として、距離Ｈａと等しい量）を目標値として磁気ヘッド３のヘッド位置を調整することで、実際のデータ記録トラックのトラック中心Ｃｔｘ（同図に破線Ｌ１１ａで示す部位）に再生素子３ｒの中心Ｃ３ｒを一致させる（再生素子３ｒを実際のデータ記録トラックにオントラックさせる）ことができる。しかしながら、図１９の右図に示すように、上記の位置Ｐ２の近傍においては、オフセット量としての距離Ｈａに基づいて求めた調整量を目標値として磁気ヘッド３のヘッド位置を調整したときに、距離Ｈａと距離Ｈｂとの差である距離Ｈｃだけ実際のデータ記録トラックのトラック中心Ｃｔｘ（同図に破線Ｌ１１ｂで示す部位）に対して再生素子３ｒの中心Ｃ３ｒが位置ずれして破線Ｌ１１ａで示す部位に位置した状態（再生素子３ｒが実際のデータ記録トラックからオフトラックした状態）となる。このため、データ記録トラックからの磁気的信号の読み出し幅が不足する（実際のデータ記録トラックにおける幅方向の一部のみから磁気的信号が読み出される）ことに起因して正常な再生が困難となるおそれがある。また、上記の位置ずれ量（距離Ｈｃ）がさらに大きい場合には、所望のデータ記録トラックに隣接するデータ記録トラックから磁気的信号を読み出すサイドリード現象を招くおそれもある。
【００１５】
このような磁気ディスクの回転中心Ｃｒとパターン中心Ｃｐとのずれに起因する問題点（ディスクリートトラック型の磁気ディスク１０における記録エラーやサイドライトの発生の問題、および連続記録膜型の磁気ディスク１０Ｄにおける再生エラーやサイドリードの発生の問題）は、磁気ディスクの高密度化および小形化が進むほど深刻な問題となる。この場合、回転中心Ｃｒとパターン中心Ｃｐとのずれ量を小さくするのは極めて困難であるため、回転中心Ｃｒとパターン中心Ｃｐとにずれが生じた状態において、上記の問題点を解決する必要がある。
【００１６】
本発明は、かかる問題点に鑑みてなされたものであり、磁気記録媒体の回転中心とデータトラックパターン等のパターン中心とに位置ずれが生じた状態においても、各データ記録トラックに対して再生素子や記録素子を確実にオントラックさせ得る記録再生装置およびトラッキングサーボ制御方法を提供することを主目的とする。
【課題を解決するための手段】
【００１７】
上記目的を達成すべく本発明に係る記録再生装置は、同心円状または螺旋状のデータ記録トラックが設けられたトラックパターンを有する回転型の磁気記録媒体と、前記磁気記録媒体からの磁気的信号の読み出しを行う再生素子および当該磁気記録媒体に対する磁気的信号の書き込みを行う記録素子を有する複合型の磁気ヘッドと、前記磁気記録媒体上において前記磁気ヘッドを移動させて前記再生素子および前記記録素子のいずれか一方の素子を前記データ記録トラックにトラッキングさせるトラッキングサーボ制御を実行する制御部と、前記トラッキングサーボ制御時において前記磁気ヘッドのヘッド位置を調整する調整量を求めるためのオフセット量を特定可能なオフセット量情報を記憶する記憶部とを備え、前記記憶部は、前記オフセット量情報として、前記データ記録トラックの一周当りにおいて互いに相違する少なくとも２つ以上の前記オフセット量を特定する情報を記憶し、前記制御部は、前記いずれか一方の素子に対する前記トラッキングサーボ制御時において、前記オフセット量情報に基づいて特定したオフセット量に応じて前記調整量を前記磁気記録媒体の１回転当りに１回以上変化させて前記ヘッド位置を調整する。
【００１８】
また、本発明に係る記録再生装置は、前記オフセット量情報として、前記記憶部が、前記トラックパターンの半径方向および周方向の両方向で前記磁気記録媒体を分割した複数の制御対象領域に対応してそれぞれ規定された前記オフセット量を複数記憶し、前記一方の素子に対する前記トラッキングサーボ制御時において、前記制御部が、所定の１つの前記制御対象領域に含まれる前記データ記録トラックにトラッキングさせる際に当該１つの制御対象領域に対応して規定された前記オフセット量に基づいて前記調整量を求めて前記ヘッド位置を調整する。
【００１９】
さらに、本発明に係る記録再生装置は、前記オフセット量情報として、前記記憶部が、前記トラックパターンの半径方向および周方向の両方向で前記磁気記録媒体を分割した複数の制御対象領域のうちの一部の制御対象領域に対応してそれぞれ規定された前記オフセット量を複数記憶し、前記一方の素子に対する前記トラッキングサーボ制御時において、前記制御部が、前記一部の制御対象領域のうちの所定の１つに含まれる前記データ記録トラックにトラッキングさせる際に当該１つの制御対象領域に対応して規定された前記オフセット量に基づいて前記調整量を求めて前記ヘッド位置を調整すると共に、前記一部の制御対象領域以外の前記制御対象領域のうちの所定の１つに含まれる前記データ記録トラックにトラッキングさせる際に前記オフセット量情報を用いた補完処理によって当該１つの制御対象領域に対応する前記オフセット量を求めて当該求めたオフセット量に基づいて前記調整量を求めて前記ヘッド位置を調整する。
【００２０】
また、本発明に係る記録再生装置は、前記制御部が、前記オフセット量情報を生成して前記記憶部に記憶させるオフセット量情報取得処理を実行可能に構成され、当該オフセット量情報取得処理時において、前記磁気記録媒体上の各同一回転半径位置に対応する基準オフセット量を所定のピッチで取得する基準オフセット量取得処理と、前記磁気記録媒体上の所定の同一パターン半径位置と前記各同一回転半径位置のうちの所定の１つとの間の当該磁気記録媒体の回転半径方向に沿った離間距離を当該磁気記録媒体の回転方向に沿った各回転位置に対応して所定のピッチで取得する離間距離取得処理と、前記各同一回転半径位置に対応する前記基準オフセット量および前記各回転位置に対応する前記離間距離に基づいて前記磁気記録媒体上の所望の記録再生位置に対応する前記オフセット量を特定するオフセット量特定処理とを実行して、当該特定したオフセット量に基づいて前記オフセット量情報を生成する。
【００２１】
なお、本明細書における「同一回転半径位置」とは、「磁気記録媒体における回転中心からの距離が等しい磁気記録媒体上の位置」、すなわち、「回転中心を中心とする磁気記録媒体上の環状の領域」を意味する。また、本明細書における「同一パターン半径位置」とは、「トラックパターンにおけるパターン中心からの距離が等しい磁気記録媒体上の位置」、すなわち、「パターン中心を中心とする磁気記録媒体上の環状の領域」を意味する。
【００２２】
また、本発明に係る記録再生装置は、前記制御部が、前記オフセット量情報を生成して前記記憶部に記憶させるオフセット量情報取得処理を実行可能に構成され、当該オフセット量情報取得処理時において、前記磁気記録媒体上の各同一パターン半径位置に対応する基準オフセット量を所定のピッチで取得する基準オフセット量取得処理と、前記磁気記録媒体上の所定の同一回転半径位置と前記各同一パターン半径位置のうちの所定の１つとの間の前記トラックパターンのパターン半径方向に沿った離間距離を当該磁気記録媒体の回転方向に沿った各回転位置に対応して所定のピッチで取得する離間距離取得処理と、前記各同一パターン半径位置に対応する前記基準オフセット量および前記各回転位置に対応する前記離間距離に基づいて前記磁気記録媒体上の所望の記録再生位置に対応する前記オフセット量を特定するオフセット量特定処理とを実行して、当該特定したオフセット量に基づいて前記オフセット量情報を生成する。
【００２３】
さらに、本発明に係る記録再生装置は、前記制御部が、前記基準オフセット量取得処理時において、トラック番号に関連付けて前記基準オフセット量を取得し、前記離間距離取得処理時において、前記磁気記録媒体を回転させつつ、前記磁気ヘッドを前記所定の同一回転半径位置に位置させた状態を維持して当該所定の同一回転半径位置の各セクタから前記再生素子を介してセクタ番号およびトラック番号を読み出すと共に、当該所定の同一回転半径位置の各セクタを前記各回転位置として、前記所定の１つの同一パターン半径位置としての基準トラックのトラック番号と、前記各セクタ毎に読み出されたトラック番号とに基づいて、当該各セクタと当該基準トラックとの間のトラック数を前記離間距離としてそれぞれ取得し、前記オフセット量特定処理時において、前記所定の同一回転半径位置の各セクタのうちの前記パターン中心に対して前記所望の記録再生位置と同方向に位置する当該セクタの前記離間距離として取得された前記トラック数分だけ当該所望の記録再生位置から離間するトラックのトラック番号に関連付けられた前記基準オフセット量を当該所望の記録再生位置のオフセット量として特定する。
【００２４】
なお、本明細書における「トラック」には、サーボパターン領域に形成されたサーボパターンによって規定されているサーボトラック、およびデータトラックパターン領域に形成されたデータ記録トラックの双方が含まれる。したがって、本明細書における「トラック番号」には、サーボトラックに対して規定されているトラック番号、およびデータ記録トラックに対して規定されているトラック番号の双方が含まれる。また、本明細書における「トラック数」とは、上記のサーボトラックのトラック数、およびデータ記録トラックのトラック数のいずれかの数を意味する。
【００２５】
また、本発明に係る記録再生装置は、前記制御部が、前記オフセット量情報を生成して前記記憶部に記憶させるオフセット量情報取得処理を実行可能に構成され、当該オフセット量情報取得処理時において、前記記憶部に記憶させる前記オフセット量のすべてを対応する前記各制御対象領域毎に個別的に測定して当該オフセット量情報を生成する。
【００２６】
さらに、本発明に係る記録再生装置は、前記制御部が、前記オフセット量情報を生成して前記記憶部に記憶させるオフセット量情報取得処理を実行可能に構成され、当該オフセット量情報取得処理時において、前記記憶部に記憶させるすべての前記オフセット量のうちの一部の当該オフセット量を対応する前記各制御対象領域毎に個別的に測定すると共に、前記記憶部に記憶させるすべての前記オフセット量のうちの前記一部のオフセット量以外のオフセット量を当該一部のオフセット量を用いた補完処理によって求め、前記測定したオフセット量と前記求めたオフセット量とに基づいて前記オフセット量情報を生成する。
【００２７】
また、本発明に係るトラッキングサーボ制御方法は、同心円状または螺旋状のデータ記録トラックが設けられたトラックパターンを有する回転型の磁気記録媒体上において、当該磁気記録媒体からの磁気的信号の読み出しを行う再生素子および当該磁気記録媒体に対する磁気的信号の書き込みを行う記録素子を有する複合型の磁気ヘッドを移動させて当該再生素子および当該記録素子のいずれか一方の素子を前記データ記録トラックにトラッキングさせるトラッキングサーボ制御方法であって、前記いずれか一方の素子に対するトラッキングサーボ制御時において、互いに相違する少なくとも２つ以上のオフセット量を特定可能なオフセット情報に基づいて特定した当該オフセット量に応じて前記磁気ヘッドのヘッド位置を調整する調整量を前記磁気記録媒体の１回転当りに１回以上変化させて前記ヘッド位置を調整する。
【発明の効果】
【００２８】
本発明に係る記録再生装置およびトラッキングサーボ制御方法では、制御部が、複合型の磁気ヘッドにおける再生素子および記録素子のいずれか一方に対するトラッキングサーボ制御時において、記憶部に記憶されているオフセット量情報に基づいて特定したオフセット量に応じて調整量を磁気記録媒体の１回転当りに１回以上変化させて磁気ヘッドのヘッド位置を調整する。これにより、この記録再生装置およびトラッキングサーボ制御方法によれば、例えば、ディスクリートトラック型の磁気記録媒体を搭載した記録再生装置では、１つのデータ記録トラックにつき１つの調整量（オフセット量）を用いたトラッキングサーボ制御が実行される従来の記録再生装置とは異なり、トラックパターンの周方向に沿った各記録再生位置に対応するオフセット量に基づいて求めた調整量を目標値として磁気ヘッドのヘッド位置を調整することで、磁気記録媒体の一回転に亘って記録素子をデータ記録トラックに確実にオントラックさせることができる。
【００２９】
したがって、データ記録トラックに対する磁気的信号の書き込み幅が不足する事態（記録エラーの発生）を招くことなく、十分な書き込み幅でデータ記録トラックに磁気的信号を書き込むことができる結果、その磁気的信号の再生時において、十分に高い出力レベルの再生信号を得ることができる。これにより、再生エラーを招くことなく、記録データを正常に再生することができる。また、サイドライト現象を招くことなく、所望のデータ記録トラックに対してのみ、確実に記録データを記録することができる。一方、連続記録膜型の磁気記録媒体を搭載した記録再生装置では、トラックパターンの周方向に沿った各記録再生位置に対応するオフセット量に基づいて求めた調整量を目標値として磁気ヘッドのヘッド位置を調整して磁気記録媒体の一回転に亘って再生素子をデータ記録トラックに確実にオントラックさせることができる。したがって、データ記録トラックからの磁気的信号の読み出し幅が不足する事態（再生エラーの発生）を招くことなく、十分な読み出し幅でデータ記録トラックから磁気的信号を読み出すことができる結果、十分に高い出力レベルの再生信号を得ることができる。これにより、記録データを正常に再生することができる。また、サイドリード現象を招くことなく、所望のデータ記録トラックのみから、確実に記録データを読み出すことができる。
【００３０】
また、本発明に係る記録再生装置では、制御部が、所定の１つの制御対象領域に含まれるデータ記録トラックに再生素子および記録素子のいずれか一方をトラッキングさせる際にその１つの制御対象領域に対応して規定されたオフセット量に基づいて調整量を求めてヘッド位置を調整する。これにより、この記録再生装置によれば、例えば、磁気記録媒体上における各回転位置毎のスイングアームの回動量に応じて磁気ヘッドのヘッド位置の調整量を連続的に無段階で変更する構成とは異なり、各制御対象領域毎に個別的に用意されたオフセット量に基づいて、各制御対象領域毎の調整量を容易に求めることができるため、制御部によるトラッキングサーボ制御が容易となる分だけ、十分に高速なトラッキングサーボ制御を実行することができる。したがって、磁気記録媒体を高速回転させるときにおいても、磁気ヘッド（再生素子や記録素子）を所望のデータ記録トラックに対して確実にオントラックさせることができる。
【００３１】
さらに、本発明に係る記録再生装置では、制御部が、対応するオフセット量がオフセット量情報として記憶部に記憶されている制御対象領域のうちの所定の１つに含まれるデータ記録トラックに再生素子および記録素子のいずれか一方をトラッキングさせる際にその１つの制御対象領域に対応して規定されたオフセット量に基づいて調整量を求めてヘッド位置を調整すると共に、対応するオフセット量が記憶部に記憶されている制御対象領域以外の制御対象領域のうちの所定の１つに含まれるデータ記録トラックに上記の一方の素子をトラッキングさせる際に記憶部に記憶されているオフセット量情報を用いた補完処理によってその１つの制御対象領域に対応するオフセット量を求めてその求めたオフセット量に基づいて調整量を求めてヘッド位置を調整する。これにより、この記録再生装置によれば、記憶部に記憶させるべきオフセット量の数が少なくて済む（オフセット量情報のデータサイズが小さくて済む）分だけ、少容量の記憶素子で記憶部を構成することができる。したがって、記録再生装置の製造コストを十分に低減することができる。
【００３２】
また、本発明に係る記録再生装置では、制御部が、オフセット量情報取得処理時において、磁気記録媒体上の各同一回転半径位置に対応する基準オフセット量を所定のピッチで取得する基準オフセット量取得処理と、磁気記録媒体上の所定の同一パターン半径位置と各同一回転半径位置のうちの所定の１つとの間の磁気記録媒体の回転半径方向に沿った離間距離を磁気記録媒体の回転方向に沿った各回転位置に対応して所定のピッチで取得する離間距離取得処理と、各同一回転半径位置に対応する基準オフセット量および各回転位置に対応する離間距離に基づいて磁気記録媒体上の所望の記録再生位置に対応するオフセット量を特定するオフセット量特定処理とを実行して、特定したオフセット量に基づいてオフセット量情報を生成する。これにより、この記録再生装置によれば、例えば、磁気記録媒体の一枚当りにおける制御対象領域の数が多いときにおいて、各制御対象領域毎にオフセット量を個別的に測定してオフセット量情報を生成する構成の記録再生装置と比較して、オフセット量情報の生成に要する時間を十分に短縮することができる。
【００３３】
また、本発明に係る記録再生装置では、制御部が、オフセット量情報取得処理時において、磁気記録媒体上の各同一パターン半径位置に対応する基準オフセット量を所定のピッチで取得する基準オフセット量取得処理と、磁気記録媒体上の所定の同一回転半径位置と各同一パターン半径位置のうちの所定の１つとの間のパターン半径方向に沿った離間距離を磁気記録媒体の回転方向に沿った各回転位置に対応して所定のピッチで取得する離間距離取得処理と、各同一パターン半径位置に対応する基準オフセット量および各回転位置に対応する離間距離に基づいて磁気記録媒体上の所望の記録再生位置に対応するオフセット量を特定するオフセット量特定処理とを実行して、特定したオフセット量に基づいてオフセット量情報を生成する。これにより、この記録再生装置によれば、例えば、磁気記録媒体の一枚当りにおける制御対象領域の数が多いときにおいて、各制御対象領域毎にオフセット量を個別的に測定してオフセット量情報を生成する構成の記録再生装置と比較して、オフセット量情報の生成に要する時間を十分に短縮することができる。
【００３４】
さらに、本発明に係る記録再生装置では、制御部が、基準オフセット量取得処理時において、各半径位置のトラック（データ記録トラックまたはサーボトラック）のトラック番号に関連付けて基準オフセット量を取得し、離間距離取得処理時において、同一回転半径位置の各セクタからセクタ番号およびトラック番号を読み出すと共に、所定の同一回転半径位置の各セクタを各回転位置として、基準トラックのトラック番号と、各セクタ毎のトラック番号とに基づいて各セクタと基準トラックとの間のトラック数を離間距離としてそれぞれ取得し、オフセット量特定処理時において、所望の記録再生位置と同方向に位置するセクタの離間距離として取得されたトラック数分だけ所望の記録再生位置から離間するトラックのトラック番号に関連付けられた基準オフセット量を所望の記録再生位置のオフセット量として特定する。これにより、この記録再生装置によれば、本発明における離間距離測定処理時において、例えば磁気記録媒体上の実際の距離を測定する構成とは異なり、一般的な記録再生装置に搭載されている機構を利用して離間距離を測定することができるため、実際の距離を測定するための専用の機構を設けなくても済む分だけ、記録再生装置の製造コストを低減することができる。
【００３５】
また、本発明に係る記録再生装置では、制御部が、オフセット量情報取得処理時において、記憶部に記憶させるオフセット量のすべてを対応する各制御対象領域毎に個別的に測定してオフセット量情報を生成する。これにより、この記録再生装置によれば、実際の測定によって取得された実体に即した正確なオフセット量でオフセット量情報を構成することができる。したがって、トラッキングサーボ制御時において、各制御対象領域毎に実体に即した正確な調整量を求めてヘッド位置の調整を行うことができるため、記録エラー、再生エラー、サイドライト現象およびサイドリード現象の発生を確実に回避することができる。
【００３６】
さらに、本発明に係る記録再生装置では、制御部が、オフセット量情報取得処理時において、記憶部に記憶させるすべてのオフセット量のうちの一部のオフセット量を対応する各制御対象領域毎に個別的に測定すると共に、記憶部に記憶させるすべてのオフセット量のうちの一部のオフセット量以外のオフセット量を一部のオフセット量を用いた補完処理によって求め、測定したオフセット量と求めたオフセット量とに基づいてオフセット量情報を生成する。これにより、この記録再生装置によれば、制御対象領域のすべてを対象としてオフセット量を測定する構成のハードディスクドライブと比較して、磁気記録媒体一枚当りのオフセット量の測定回数が少なくて済む分だけ、オフセット量情報の生成に要する時間を一層短縮することができる。
【発明を実施するための最良の形態】
【００３７】
以下、添付図面を参照して、本発明に係る記録再生装置およびトラッキングサーボ制御方法の最良の形態について説明する。
【００３８】
最初に、本発明に係る記録再生装置の構成および動作原理について、図面を参照して説明する。
【００３９】
図１に示すハードディスクドライブ１は、本発明に係る記録再生装置の一例であって、モータ２、磁気ヘッド３、アクチュエータ４、検出部５、ドライバ６、制御部７、記憶部８および磁気ディスク１０を備えて、各種データの記録再生が可能に構成されている。この場合、磁気ディスク１０は、本発明に係る磁気記録媒体の一例であるディスクリートトラック媒体（パターンド媒体の一例）であって、図２に示すように、全体として円板状に形成されてモータ２の回転軸に取り付けられると共に、磁気ヘッド３などと共にハードディスクドライブ１の筐体内に配設されている。また、磁気ディスク１０は、図３に示すように、軟磁性層１２、中間層１３および磁性層１４がガラス基材１１の上にこの順で形成されて、一例として、垂直記録方式による記録データの記録が可能に構成されている。
【００４０】
磁性層１４は、一例として、突端部（同図における上端部）から基端部（同図における下端部）までの全体が磁性材料で形成された複数の凸部２１（記録領域）と、隣り合う凸部２１の間の凹部２２（非記録領域）とが形成されて凹凸パターン２０を構成する。また、凹凸パターン２０の各凹部２２内には、ＳｉＯ２、Ｃ（炭素）および樹脂材料等の非磁性材料１５が埋め込まれて、これにより、磁気ディスク１０の表面が平坦化されている。さらに、この磁気ディスク１０では、各凹部２２内に埋め込まれた非磁性材料１５、および磁性層１４（凸部２１）の表面を覆うようにして、ダイヤモンドライクカーボン（ＤＬＣ）等によって厚みが２ｎｍ程度の保護層１６（ＤＬＣ膜）が形成されている。また、保護層１６の表面には、磁気ヘッド３および磁気ディスク１０の双方の傷付きを回避するための潤滑剤（一例として、フォンブリン系の潤滑剤）が塗布されている。
【００４１】
この場合、上記の記録領域（この例では、凸部２１）とは、「記録された磁気的信号を読み出し可能に保持するように構成された領域（つまり磁気的信号を読み出し可能に保持する能力を有するように構成された領域）」を意味する。また、上記の非記録領域（この例では、凹部２２）とは、「磁気的信号を読み出し可能に保持する上記の能力が記録領域の能力よりも低くなるように構成された領域、または、その能力を実質的に有しないように構成された領域」を意味する。具体的には、非記録領域とは、「磁気的信号を記録した状態において、その領域から発生する磁界が上記の記録領域よりも小さい領域、または、その領域から発生する磁界が実質的には存在しない領域」を意味する。
【００４２】
ガラス基材１１は、一例として、ガラス板を表面研磨して厚みが０．６ｍｍ程度の円板状に形成されている。なお、磁気ディスク１０を形成するための基材は、ガラス基材に限定されず、アルミニウムやセラミックなどの各種非磁性材料で円板状に形成した基材を使用することができる。軟磁性層１２は、ＣｏＺｒＮｂ合金などの軟磁性材料をスパッタリングすることによって厚みが１００ｎｍ〜２００ｎｍ程度の薄膜状に形成されている。中間層１３は、磁性層１４を形成するための下地層として機能する層であって、Ｒｕ、ＣｒおよびＣｏＣｒ非磁性合金などの中間層形成用材料をスパッタリングすることによって厚みが４０ｎｍ程度の薄膜状に形成されている。磁性層１４は、前述したように、凹凸パターン２０（図４に示すデータトラックパターン２０ｔおよびサーボパターン２０ｓ）を構成する層であって、例えばＣｏＣｒＰｔ合金をスパッタリングした層に対してエッチング処理することによって各凹部２２が形成されている。
【００４３】
この磁気ディスク１０は、図２に示すように、各データトラックパターン領域Ａｔの間にサーボパターン領域Ａｓが規定されてデータトラックパターン領域Ａｔおよびサーボパターン領域Ａｓが磁気ディスク１０の回転方向（矢印Ｒの向き）において交互に並ぶように規定されている。なお、本明細書では、回転方向において並ぶ２つのデータトラックパターン領域Ａｔによって挟まれた領域（１つのデータトラックパターン領域Ａｔにおける回転方向に対して下流側の端部から、他の１つのデータトラックパターン領域Ａｔにおける回転方向に対して上流側の端部までの間の領域）をサーボパターン領域Ａｓとする。また、データトラックパターン領域Ａｔにおける回転方向側の端部は、そのデータ記録領域に形成された複数のデータ記録トラック（各凸部２１）における回転方向側の各端部を連結した仮想線分（磁気ディスク１０の半径方向に沿った直線状または円弧状の線分）と一致しているものとする。
【００４４】
さらに、この磁気ディスク１０では、図４に示すように、データトラックパターン２０ｔの周方向（磁気ディスク１０の回転方向）において隣接する一組のサーボパターン領域Ａｓおよびデータトラックパターン領域Ａｔ（矢印Ａの範囲）によって各データ記録トラック毎にセクタが規定されている。つまり、この磁気ディスク１０では、一回転当りにおけるサーボパターン領域Ａｓの数、またはデータトラックパターン領域Ａｔの数（一例として、２００個）にトラック数（データ記録トラックの数：一例として、５万本）を乗じた数のセクタ（この例では、１０００万個）が規定されている。この場合、この磁気ディスク１０では、サーボパターン領域Ａｓに形成されたサーボパターン２０ｓによって規定されるサーボトラックと、データトラックパターン領域Ａｔに形成されたデータトラックパターン２０ｔの各データ記録トラックとの両トラックにおいて、トラックピッチ（半径方向において隣接するトラックのトラック中心間の距離）が一致している。したがって、この磁気ディスク１０では、データ記録トラックの数と同数の５万本のサーボトラックが存在することとなる。
【００４５】
また、後述するように、制御部７によるトラッキングサーボ制御時においては、一例として、データトラックパターン２０ｔの周方向（磁気ディスク１０の回転方向）に沿って連続する複数のセクタ（一例として１０個のセクタ）をデータトラックパターン２０ｔの半径方向で連続する数十トラック分（一例として、５０トラック分）だけグループ化した（すなわち、５００個のセクタをグループ化した）領域を本発明における制御対象領域として、ヘッド位置の調整が実行される。この場合、このハードディスクドライブ１では、１つの制御対象領域内のセクタに対しては、１つの同一のオフセット量に基づいて求めた（演算した）同一の調整量を目標値としてヘッド位置の調整が実行される。
【００４６】
また、この磁気ディスク１０を搭載したハードディスクドライブ１では、モータ２が制御部７の制御に従って磁気ディスク１０を角速度一定で回転させるように構成されている。したがって、図２に示すように、この磁気ディスク１０では、単位時間当たりに磁気ヘッド３の下方を通過させられる磁気ディスク１０上の長さに比例して、磁気ディスク１０の回転方向に沿ったデータトラックパターン領域Ａｔの長さ、および回転方向に沿ったサーボパターン領域Ａｓの長さ（すなわち、各セクタの長さ）がデータトラックパターン２０ｔのパターン中心Ｃｐから離間するほど長くなるように（データトラックパターン領域Ａｔおよびサーボパターン領域Ａｓがその内周側領域よりも外周側領域ほど幅広となるように）規定されている。この結果、この磁気ディスク１０では、磁気ディスク１０の回転方向に沿った各セクタの長さがデータトラックパターン２０ｔのパターン中心Ｃｐから離間したセクタほど長くなるように（内周側のセクタよりも外周側のセクタの方が長くなるように）規定されている。
【００４７】
また、図４に示すように、データトラックパターン領域Ａｔには、データトラックパターン２０ｔが形成されている。なお、同図では、凹凸パターン２０における凸部２１の形成部位（記録領域）を斜線で塗り潰して図示している。この場合、データトラックパターン領域Ａｔ内のデータトラックパターン２０ｔは、パターン中心Ｃｐ（図２参照）を中心として所定の配列ピッチで互いに分割された同心円状（または、螺旋状）の数多くのデータ記録トラックを構成する複数の凸部２１（磁気ディスク１０の回転方向に沿って連続的に形成されて回転方向に長い帯状の凸部２１）と、ガードバンド部を構成する複数の凹部２２（各凸部２１の間の凹部２２：トラック間凹部）とを備えて構成されている。また、データトラックパターン領域Ａｔ内の各凸部２１および各凹部２２は、一例として、その半径方向の長さが互いにほぼ等しくなるように規定されると共に、凸部２１の形成ピッチ（すなわち、データ記録トラックのトラックピッチ）や、磁気ディスク１０における半径方向の長さ（すなわち、データ記録トラックやガードバンド部の半径方向の長さ）が磁気ディスク１０の内周部から外周部までの全域において互いにほぼ等しくなるように形成されている。
【００４８】
さらに、サーボパターン領域Ａｓには、トラッキングサーボ制御用の各種サーボパターンを構成する複数の凸部２１および複数の凹部２２を有する凹凸パターン２０（サーボパターン２０ｓ）が形成されている。具体的には、サーボパターン領域Ａｓ内には、サーボパターン２０ｓによってプリアンブルパターンが形成されたプリアンブルパターン領域Ａｐと、サーボパターン２０ｓによってアドレスパターンが形成されたアドレスパターン領域Ａａと、サーボパターン２０ｓによってバーストパターンが形成されたバーストパターン領域Ａｂとが規定されている。なお、サーボパターン領域Ａｓ内の各パターンの機能については公知のため、その説明を省略する。
【００４９】
一方、モータ２は、制御部７の制御に従って磁気ディスク１０を一例として７２００ｒｐｍの回転数で定速回転させる。この場合、このハードディスクドライブ１では、図２，６，１５に示すように、磁気ディスク１０の回転中心Ｃｒ（モータ２における回転軸の中心）とデータトラックパターン２０ｔおよびサーボパターン２０ｓのパターン中心Ｃｐとの間に、製造誤差に起因する３０〜５０μｍ程度の極く小さなずれが生じている。
【００５０】
磁気ヘッド３は、図２に示すように、本発明における再生素子に相当する再生素子３ｒと、本発明における記録素子に相当する記録素子３ｗとがスライダーの底面に形成された複合型の磁気ヘッドであって、磁気ディスク１０のサーボパターン領域Ａｓからのサーボデータの読み出しと、データトラックパターン領域Ａｔに対する記録データの磁気的な書き込みと、データトラックパターン領域Ａｔに磁気的に書き込まれた記録データの読み出しとを実行する。また、磁気ヘッド３は、スイングアーム４ａを介してアクチュエータ４に取り付けられている。また、磁気ヘッド３は、磁気ディスク１０に対する記録データの記録再生時においてアクチュエータ４によってスイングアーム４ａが回動中心Ｃ４を中心として矢印Ｂ１，Ｂ２の向きで回動させられることで磁気ディスク１０上を内周側または外周側に移動させられる。
【００５１】
この場合、この磁気ヘッド３では、一例として、スライダーにおける先端部側に記録素子３ｗが設けられると共に、スライダーにおける先端部側の記録素子３ｗよりも基端部寄り（スイングアーム４ａの側）に再生素子３ｒが設けられている。また、この磁気ヘッド３では、図５に示すように、再生素子３ｒの中心Ｃ３ｒ（再生素子３ｒの半径方向に対応する長さの中心：シーク動作方向に沿った長さの中心）に対して、記録素子３ｗの中心Ｃ３ｗ（記録素子３ｗの半径方向に対応する長さの中心：シーク動作方向に沿った長さの中心）がスイングアーム４ａの延在方向において所定の距離だけ離間するように再生素子３ｒおよび記録素子３ｗが形成されている。なお、本明細書において参照する各図では、本発明についての理解を容易とするために、再生素子３ｒおよび記録素子３ｗにおける各部の長さや、再生素子３ｒおよび記録素子３ｗ間の距離などを実際とは相違する長さや距離で図示している。
【００５２】
アクチュエータ４は、制御部７の制御下でドライバ６から供給される駆動電流によってスイングアーム４ａをスイング（回動）させることにより、磁気ヘッド３を磁気ディスク１０上の所望の記録再生位置に移動させる。検出部５は、磁気ヘッド３によって出力された出力信号からサーボ信号Ｓ１を取得（検出）して制御部７に出力する。ドライバ６は、制御部７から出力された制御信号Ｓ２に従ってアクチュエータ４に駆動電流を供給することで磁気ヘッド３を所望のデータ記録トラックにオントラックさせる。
【００５３】
制御部７は、ハードディスクドライブ１を総括的に制御する。また、制御部７は、本発明における制御部の一例であって、検出部５から出力されたサーボ信号Ｓ１、記憶部８に記憶されているサーボ制御情報Ｄｓおよびオフセット量情報Ｄｏに基づいてドライバ６を制御する（トラッキングサーボ制御処理の実行）。さらに、制御部７は、後述するようにして磁気ディスク１０上の各記録再生位置に対応するオフセット量を取得するオフセット量情報取得処理を実行してオフセット量情報Ｄｏを生成する。記憶部８は、測定処理プログラムＤｐ（上記のオフセット量情報取得処理を実行するためのプログラム）、サーボ制御情報Ｄｓ、オフセット量情報Ｄｏおよび制御部７の動作プログラムなどを記憶する。
【００５４】
この場合、このハードディスクドライブ１では、前述したように、再生素子３ｒと記録素子３ｗとがスイングアーム４ａの延在方向において互いに離間して配置されているため、例えば図１６の左図に示すように、磁気ディスク１０における例えば外周部の所定のデータ記録トラック上に磁気ヘッド３を移動させたときに、記録素子３ｗの中心Ｃ３ｗと再生素子３ｒの中心Ｃ３ｒとを結んだ線分（スイングアーム４ａの延在方向と平行な線分）に対してデータ記録トラックのトラック中心Ｃｔ（中心線）が交差した状態（スキュー角が生じた状態）となる。したがって、外周部の所定のデータ記録トラックに再生素子３ｒをオントラックさせたとき（再生素子３ｒの中心Ｃ３ｒをデータ記録トラックのトラック中心Ｃｔに一致させたとき）には、記録素子３ｗの中心Ｃ３ｗがトそのラック中心Ｃｔから離れた位置に位置する（記録素子３ｗがオフトラックする）こととなる。この記録素子３ｗがオフトラックしている量（オフセット量）、すなわち、スキュー角が生じた状態における再生素子３ｒの中心Ｃ３ｒと記録素子３ｗの中心Ｃ３ｗとの間の半径方向に沿った離間距離（オフセット量）は、前述したように、スキュー角の大きさに応じて相違する。
【００５５】
このため、パターン中心Ｃｐと回転中心Ｃｒとが位置ずれしている状態（磁気ディスク１０がモータ２に対して偏心している状態）においては、例えば、再生素子３ｒの中心Ｃ３ｒをデータ記録トラックのトラック中心Ｃｔに一致させた状態を維持しつつ磁気ディスク１０を回転させたときに、磁気ディスク１０が一回転する間において上記のオフセット量が逐次変化する。したがって、磁気ディスク１０上の各記録再生位置からの再生素子３ｒによるサーボデータおよび記録データの読み出し時と、各記録再生位置に対する記録素子３ｗによる記録データの書き込み時との双方において、再生素子３ｒおよび記録素子３ｗを所望のデータ記録トラックにオントラックさせるようにトラッキングサーボ制御するには、磁気ディスク１０の内周部から外周部までの全域において、磁気ディスク１０の回転方向に沿った各記録再生位置に対応するオフセット量（再生素子３ｒの中心Ｃ３ｒと記録素子３ｗの中心Ｃ３ｗとの間の距離）を測定し、その測定結果を各記録再生位置に関連付けてオフセット量情報Ｄｏとして記憶しておく必要がある。
【００５６】
この場合、例えば１つのセクタにつき１つのオフセット量を記録したオフセット量情報Ｄｏを用意してこのオフセット量情報Ｄｏに基づくトラッキングサーボ制御を実行するのが好ましいが、前述したように、この磁気ディスク１０上には、１０００万個のセクタが存在するため、オフセット量情報Ｄｏ内のオフセット量のデータが膨大な量となり、トラッキングサーボ制御が煩雑化すると共に、大容量の記憶部８が必要となる。また、実際には、磁気ディスク１０の回転方向において隣接する数セクタ内、および磁気ディスク１０の半径方向において隣接する数十セクタ内では、上記のオフセット量が殆ど同じ値となる。したがって、このハードディスクドライブ１では、前述したように、回転方向に沿って連続する１０個のセクタを５０トラック分だけグループ化した（この例では、５００個のセクタをグループ化した）領域を本発明における制御対象領域として、各制御対象領域につき１つのオフセット量を記録したオフセット量情報Ｄｏに基づくトラッキングサーボ制御（１つの制御対象領域内の各セクタに対して同一のオフセット量を用いたトラッキングサーボ制御）を実行する構成が採用されている（本発明における「データ記録トラックの一周当りにおいて互いに相違する少なくとも２つ以上のオフセット量」が「一周当りにおいて２００／１０＝２０個」の例）。これにより、比較的小さな容量の記憶部８であってもオフセット量情報Ｄｏ等を記憶することが可能となっている。
【００５７】
なお、以下の説明においては、後述するオフセット量情報取得処理によって各制御対象領域に対応するオフセット量を特定可能なオフセット量情報Ｄｏが生成されて記憶部８に記憶されているものとする。また、このハードディスクドライブ１では、再生素子３ｒの中心Ｃ３ｒをデータ記録トラックのトラック中心Ｃｔに位置させた状態における記録素子３ｗの中心Ｃ３ｗとトラック中心Ｃｔとの半径方向に沿った距離をオフセット量とし、記録素子３ｗを介して磁気ディスク１０に記録データを記録する際に、このオフセット量に基づいて求めた（演算した）調整量（一例として、オフセット量と等しい量）を目標値として磁気ヘッド３のヘッド位置を調整する構成が採用されている（本発明における「一方の素子」が記録素子３ｗである構成の一例）。
【００５８】
この場合、例えば図１６の左図に示すように、データ記録トラックのトラック中心Ｃｔに対して位置Ｐ１において再生素子３ｒの中心Ｃ３ｒを一致させたときに記録素子３ｗの中心Ｃ３ｗがトラック中心Ｃｔから距離Ｈａだけ離間する制御対象領域に対しては、オフセット量として距離Ｈａが規定されている。また、図１６の右図に示すように、データ記録トラックのトラック中心Ｃｔに対して位置Ｐ２において再生素子３ｒの中心Ｃ３ｒを一致させたときに記録素子３ｗの中心Ｃ３ｗがトラック中心Ｃｔから距離Ｈｂだけ離間する制御対象領域に対しては、オフセット量として距離Ｈｂが規定されている。したがって、制御部７は、記憶部８に記憶されているサーボ制御情報Ｄｓとオフセット量情報Ｄｏとに基づき、図５の左図に示すように、上記の位置Ｐ１を含む制御対象領域内においては、データ記録トラック（凸部２１）に対する記録データ（磁気的信号）の書き込み時において、オフセット量として規定された距離Ｈａに基づいて求めた調整量（この例では、距離Ｈａと等しい量）を目標値として磁気ヘッド３のヘッド位置を調整させる旨の制御信号Ｓ２をドライバ６に出力する。これにより、同図に示すように、記録素子３ｗの中心Ｃ３ｗがデータ記録トラックのトラック中心Ｃｔと一致した状態（記録素子３ｗがデータ記録トラックにオントラックした状態）となる。
【００５９】
一方、磁気ディスク１０の回転に伴って、図５の右図に示すように、上記の位置Ｐ２を含む制御対象領域内に磁気ヘッド３が移動したとき（磁気ヘッド３の下方に位置Ｐ２を含む制御対象領域が移動したとき）には、制御部７は、記憶部８に記憶されているサーボ制御情報Ｄｓとオフセット量情報Ｄｏとに基づき、データ記録トラック（凸部２１）に対する記録データ（磁気的信号）の書き込み時において、オフセット量として規定された距離Ｈｂに基づいて求めた調整量（この例では、距離Ｈｂと等しい量）を目標値として磁気ヘッド３のヘッド位置を調整させる旨の制御信号Ｓ２をドライバ６に出力する。これにより、同図に示すように、記録素子３ｗの中心Ｃ３ｗがデータ記録トラックのトラック中心Ｃｔと一致した状態（記録素子３ｗがデータ記録トラックにオントラックした状態）となる。
【００６０】
このように、各制御対象領域に対応してオフセット量が規定されたオフセット量情報Ｄｏを用いたトラッキングサーボ制御を実行して、ヘッド位置を調整するための調整量を磁気ディスク１０の１回転当りに１回以上（調整量を最初に設定した１回目を含めずに１回以上：この例では、１９回）変化させることにより、パターン中心Ｃｐと回転中心Ｃｒとの位置ずれに起因して磁気ディスク１０が１回転する間にスキュー角が逐次変化する状態であっても、磁気ディスク１０の回転方向に沿って規定された各制御対象領域内のデータ記録トラックに対して、記録素子３ｗをオフトラックさせることなく、中心Ｃ３ｗをデータ記録トラックのトラック中心Ｃｔに一致させた状態（データ記録トラックにオントラックさせた状態）を維持することが可能となっている。
【００６１】
次に、ハードディスクドライブ１によるオフセット量情報取得処理の実施形態の一例について、図面を参照して説明する。なお、以下の説明においては、本発明についての理解を容易とするために、例えば図６に示すようにデータトラックパターン２０ｔの半径方向および周方向の両方向で磁気ディスク１０を８分割した６４個の制御対象領域３１ａ〜３８ｈを対象とするトラッキングサーボ制御用のオフセット量情報Ｄｏを生成する例について説明する。この場合、上記の磁気ディスク１０では、最内周の制御対象領域３１ａ〜３１ｈよりもさらに内周側、および最外周の制御対象領域３８ａ〜３８ｈよりもさらに外周側の双方に、サーボパターン２０ｓと同様のパターンおよびデータトラックパターン２０ｔと同様のパターンが形成された環状の領域が存在する。この場合、この環状の領域内のパターンは、磁気ディスク１０に対する記録データの記録再生時に使用されることはないが、この環状の領域についても上記の制御対象領域３１ａ〜３８ｈと同様にして周方向でそれぞれ８分割した１６個の領域４１ａ〜４１ｈ，４２ａ〜４２ｈが存在し、かつ、この領域４１ａ〜４１ｈ，４２ａ〜４２ｈ内にもサーボパターン領域Ａｓ（サーボパターン２０ｓ）およびデータトラックパターン領域Ａｔ（データトラックパターン２０ｔ）が存在するものとして説明する。
【００６２】
上記のハードディスクドライブ１では、一例として、磁気ディスク１０の初期化処理時、および、外部装置（例えばパーソナルコンピュータのＣＰＵ）によってオフセット量測定を指示する指示コマンドが出力されたときに、制御部７が、記憶部８に記憶されている測定処理プログラムＤｐに従って本発明におけるオフセット量情報取得処理を実行する構成が採用されている。なお、初期化時や指示コマンド出力時のみならず、予め規定された所定時間間隔でオフセット量情報取得処理を定期的に実行してオフセット量情報を自動的に更新する構成を採用することもできる。
【００６３】
このオフセット量情報取得処理に際して、制御部７は、まず、本発明における基準オフセット量取得処理を実行する。具体的には、制御部７は、まず、磁気ディスク１０上の各半径位置毎の基準オフセット量（本発明における「各同一回転半径位置に対応する基準オフセット量」および本発明における「各同一パターン半径位置に対応する基準オフセット量」に相当するオフセット量）を取得する。この際に、制御部７は、一例として、図６に示すように、制御対象領域３１ａにおける位置Ｐ３１の半径位置、制御対象領域３２ａにおける位置Ｐ３２の半径位置、制御対象領域３３ａにおける位置Ｐ３３の半径位置、制御対象領域３４ａにおける位置Ｐ３４の半径位置、制御対象領域３５ａにおける位置Ｐ３５の半径位置、制御対象領域３６ａにおける位置Ｐ３６の半径位置、制御対象領域３７ａにおける位置Ｐ３７の半径位置、および制御対象領域３８ａにおける位置Ｐ３８の半径位置の８つの半径位置（本発明における「所定のピッチ」の一例）に対応する８つの基準オフセット量を取得する。
【００６４】
具体的には、制御部７は、例えば位置Ｐ３１の半径位置に対応する基準オフセット量の取得に際して、まず、モータ２を制御して磁気ディスク１０を回転させつつ、図８に示すように、一例として、再生素子３ｒの中心Ｃ３ｒが上記の位置Ｐ３１において位置Ｐｒ１を通過するように磁気ヘッド３を移動させる。次いで、制御部７は、再生素子３ｒの中心Ｃ３ｒが位置Ｐｒ１を通過する状態を維持するように（パターン中心Ｃｐからの距離を一定に維持するように）ドライバ６を制御して磁気ヘッド３をトラッキングサーボ制御しつつ、磁気ディスク１０の１回転に亘って各制御対象領域３１ａ〜３１ｈ内のデータトラックパターン２０ｔ（データ記録トラックとしての凸部２１）に対して記録素子３ｗを介して測定用信号を書き込む。
【００６５】
この際に、前述したように、磁気ディスク１０の回転中心Ｃｒとパターン中心Ｃｐとが位置ずれしているため、再生素子３ｒの中心Ｃ３ｒが位置Ｐｒ１を通過するように磁気ヘッド３をトラッキングサーボ制御したときには、スイングアーム４ａがスイング（回動）する。したがって、再生素子３ｒの中心Ｃ３ｒと記録素子３ｗの中心Ｃ３ｗとの間の半径方向に沿った距離（オフセット量）が磁気ディスク１０の一回転当りにおいて逐次変化する。このため、記録素子３ｗの中心Ｃ３ｗは、制御対象領域３１ａ内においては位置Ｐｗ１の近傍を通過し、制御対象領域３１ｂ〜３１ｄ内においては位置Ｐｗ１よりも内周側（同図における右寄り）を通過し、制御対象領域３１ｅ内においては制御対象領域３１ａ内と同様にして位置Ｐｗ１の近傍を通過し、制御対象領域３１ｆ〜３８ｈ内においては位置Ｐｗ１よりも外周側（同図における左寄り）を通過することとなる。この結果、磁気ディスク１０に測定用信号が書き込まれる半径方向の位置が記録素子３ｗの通過位置に応じてその回転方向に沿った各回転位置毎に相違することとなる。
【００６６】
次いで、制御部７は、記録素子３ｗを介して書き込んだ測定用信号を読み出す処理を実行する。具体的には、制御部７は、上記の位置Ｐｒ１よりも外周側の例えば位置Ｐｒ１ａを再生素子３ｒの中心Ｃ３ｒが通過するように磁気ヘッド３を移動させた状態において、磁気ヘッド３をトラッキングサーボ制御することで、中心Ｃ３ｒが位置Ｐｒ１ａを通過する状態を維持しつつ（パターン中心Ｃｐからの距離を一定に維持しつつ）、磁気ディスク１０の１回転に亘って再生素子３ｒを介して測定用信号を読み出す。次いで、制御部７は、読み出した再生信号について、その出力レベルの平均値を取得する。この際には、一例として、図８に矢印Ｃ１で示す出力レベル（平均値）が取得される。
【００６７】
次いで、制御部７は、一例として、サーボトラックのトラックピッチに対する１／２０だけ磁気ヘッド３を内周側に移動させて再生素子３ｒの中心Ｃ３ｒが位置Ｐｒ１ｂを通過するように磁気ヘッド３を移動させた状態において、磁気ヘッド３をトラッキングサーボ制御する。この状態において、制御部７は、磁気ディスク１０の１回転に亘って再生素子３ｒを介して測定用信号を読み出し、その出力レベルの平均値を取得する。この際には、一例として、図８に矢印Ｃ２で示す出力レベル（平均値）が取得される。このように、トラックピッチに対する１／２０だけ磁気ヘッド３を内周側に移動させ、その都度、磁気ディスク１０の１回転に亘って測定用信号を読み出して、その再生信号の平均値を取得することにより、再生素子３ｒの位置に応じて同図に一点鎖線Ｌ１で示すような出力レベルの平均値が取得される。
【００６８】
続いて、制御部７は、上記の処理によって書き込んだ測定用信号を消去した後に、図８に示すように、再生素子３ｒの中心Ｃ３ｒが一例として、位置Ｐ３１においてサーボトラックのトラックピッチに対する１／１０だけ位置Ｐｒ１よりも内周側の位置Ｐｒ２を通過するように磁気ヘッド３を位置させた状態において、磁気ヘッド３をトラッキングサーボ制御しつつ、磁気ディスク１０の１回転に亘って各制御対象領域３１ａ〜３１ｈ内のデータトラックパターン２０ｔ（データ記録トラックとしての凸部２１）に対して記録素子３ｗを介して測定用信号を書き込む。なお、同図では、本発明についての理解を容易とするために、サーボトラックのトラックピッチに対する１／１０よりも大きく磁気ヘッド３を移動させた状態（位置Ｐｒ１，Ｐｒ２間の距離がサーボトラックのトラックピッチに対する１／１０よりも長い状態）を図示している。この際に、記録素子３ｗの中心Ｃ３ｗは、制御対象領域３１ａ内においては位置Ｐｗ２の近傍を通過し、制御対象領域３１ｂ〜３１ｄ内においては位置Ｐｗ２よりも内周側（同図における右寄り）を通過し、制御対象領域３１ｅ内においては制御対象領域３１ａ内と同様にして位置Ｐｗ２の近傍を通過し、制御対象領域３１ｆ〜３８ｈ内においては位置Ｐｗ２よりも外周側（同図における左寄り）を通過することとなる。この結果、記録素子３ｗを介して測定用信号が書き込まれる半径方向の位置が磁気ディスク１０の回転方向に沿った各回転位置毎に記録素子３ｗの通過位置に応じて相違することとなる。
【００６９】
次いで、制御部７は、位置Ｐｒ２よりも外周側の例えば位置Ｐｒ２ａを再生素子３ｒの中心Ｃ３ｒが通過する位置において、磁気ヘッド３をトラッキングサーボ制御しつつ、磁気ディスク１０の１回転に亘って再生素子３ｒを介して測定用信号を読み出し、その再生信号の出力レベルの平均値を取得する。また、制御部７は、サーボトラックのトラックピッチに対する１／２０だけ磁気ヘッド３を内周側に移動させて中心Ｃ３ｒが位置Ｐｒ２ｂを通過するように磁気ヘッド３を移動させた状態において、磁気ヘッド３をトラッキングサーボ制御しつつ、磁気ディスク１０の１回転に亘って再生素子３ｒを介して測定用信号を読み出し、その再生信号の信号レベルの平均値を取得する処理を繰り返して実行する。これにより、再生素子３ｒの位置に応じて同図に破線Ｌ２で示すような出力レベルの平均値が取得される。
【００７０】
次いで、制御部７は、位置Ｐ３１において、トラックピッチに対する１／１０だけ位置Ｐｒ２よりも内周側の位置Ｐｒ３を再生素子３ｒの中心Ｃ３ｒが通過する位置において磁気ヘッド３をトラッキングサーボ制御しつつ記録素子３ｗを介して測定用信号を書き込むと共に、磁気ヘッド３を位置Ｐｒ３よりも外周側の所定位置に移動させた状態において測定用信号の読み出しおよび再生信号の出力レベルの平均値の取得を繰り返して実行する。これにより、再生素子３ｒの位置に応じて同図に実線Ｌ３で示すような出力レベルの平均値が取得される。同様にして、制御部７は、再生素子３ｒの中心Ｃ３ｒが位置Ｐｒ４，Ｐｒ５を通過する位置において磁気ヘッド３をトラッキングサーボ制御しつつ記録素子３ｗを介して測定用信号を書き込むと共に、磁気ヘッド３を位置Ｐｒ４，Ｐｒ５よりも外周側の所定位置に移動させた状態において測定用信号の読み出しおよび再生信号の出力レベルの平均値の取得を繰り返して実行する。これにより、再生素子３ｒの位置に応じて同図に破線Ｌ４および二点鎖線Ｌ５で示すような出力レベルの平均値が取得される。
【００７１】
次いで、制御部７は、上記の処理における測定用信号の読み出し時において最も高い出力レベルの平均値（この例では、矢印Ｃ３で示す出力レベル）の再生信号が磁気ヘッド３から出力された際の再生素子３ｒの位置（この例では、位置Ｐｒ３ｎ）と、その再生信号の元となる測定用信号の書き込み時における再生素子３ｒの位置（この例では、位置Ｐ３ｒ）とを特定する。なお、上記の例における位置Ｐｒ１，Ｐｒ２・・Ｐｒ５のピッチ（この例では、サーボトラックのトラックピッチに対する１／１０のピッチ）が小さいときには、「出力レベルの平均値が最も高い測定用信号の書き込み時における再生素子３ｒの位置」が複数存在することがある。この際には、複数の位置のうちの任意の位置（一例として、各位置のうちの半径方向における中央部の位置）を特定する。続いて、制御部７は、特定した位置Ｐｒ３ｎ，Ｐｒ３のデータトラックパターン２０ｔの半径方向に沿った距離を特定し、特定した距離をその半径位置（この例では、位置Ｐ３１の半径位置に対応する基準オフセット量（図７参照）として記憶部８に記憶させる。
【００７２】
この後、制御部７は、位置Ｐ３２の半径位置、位置Ｐ３３の半径位置、位置Ｐ３４の半径位置、位置Ｐ３５の半径位置、位置Ｐ３６の半径位置、位置Ｐ３７の半径位置、および位置Ｐ３８の半径位置の７つの半径位置についても、位置Ｐ３１の半径位置についての上記の一連の処理と同様にして基準オフセット量をそれぞれ取得して記憶部８に記憶させる。これにより、図７に示すように、磁気ディスク１０上の各半径位置に対応する基準オフセット量がそれぞれ取得される。この場合、制御部７は、各半径位置毎の基準オフセット量を記憶部８に記憶させる際に、一例として、各位置Ｐ３１〜３８のセクタのトラック番号に関連付けて記憶させる。また、各位置Ｐ３１〜３８のセクタ以外の半径位置については、取得した基準オフセット量を用いた補完処理によって求めて、対応する半径位置のデータ記録トラックのトラック番号に関連付けて記憶部８に記憶させる。以上により、本発明における基準オフセット量取得処理が完了する。この場合、このオフセット量情報取得処理では、上記の基準オフセット量取得処理時において磁気ディスク１０の１回転に亘って測定用信号を読み出し、その出力レベルの平均値を取得して基準オフセット量を取得している。したがって、所定の基準オフセット量に対応する同一パターン半径位置と、その基準オフセット量に対応する同一回転半径位置とが実質的に同一の半径位置となっている。
【００７３】
なお、上記の例では、制御対象領域３１ａ〜３８ｈに対応させて磁気ディスク１０の半径方向における８つの位置（この例では、位置Ｐ３１〜Ｐ３８）の各半径位置の基準オフセット量を取得すると共に、その他の半径位置については補完処理によって求めて記憶部８に記憶させているが、基準オフセットを取得する方法はこれに限定されない。例えば、制御対象領域３１ａ〜３８ｈとは無関係に磁気ディスク１０の内周部から外周部まで予め規定された所定のピッチで基準オフセット量を取得すると共に、取得した基準オフセット量を用いた補完処理によってその他の半径位置の基準オフセット量を取得する方法を採用することもできる。また、上記の例では、各半径位置毎の基準オフセット量を記憶部８に記憶させる際に、対応する半径位置のデータ記録トラックのトラック番号に関連付けて記憶させているが、対応する半径位置のサーボトラックのトラック番号に関連付けて記憶させることもできる。
【００７４】
次いで、制御部７は、本発明における離間距離取得処理を実行する。具体的には、制御部７は、モータ２を制御して磁気ディスク１０を回転させると共に、ドライバ６を制御することによって、一例として、磁気ヘッド３が磁気ディスク１０の内周側に位置する状態においてスイングアーム４ａをリミッター（回動規制部材）に押し付けた状態を維持させる。この際に、スイングアーム４ａがリミッターに押し付けられた状態が維持されることにより、磁気ヘッド３は、磁気ディスク１０における同一回転半径位置（回転中心Ｃｒを中心とする所定の半径位置）に位置することとなる。また、データトラックパターン２０ｔ等のパターン中心Ｃｐと磁気ディスク１０の回転中心Ｃｒとが位置ずれしているため（磁気ディスク１０がモータ２に対して偏心して取り付けられているため）、再生素子３ｒの中心Ｃ３ｒは、図６に破線で示すように、同一回転半径位置を通過することによって、複数のサーボトラックおよび複数のデータ記録トラック（この例では、領域４１ａ〜４１ｈ内のサーボトラックおよびデータ記録トラック）を跨ぐようにして周方向において隣接する複数のセクタの上を通過する。
【００７５】
また、制御部７は、磁気ヘッド３が通過する各セクタにおけるサーボパターン領域Ａｓのアドレスパターン領域Ａａからトラック番号およびセクタ番号を順次読み出すと共に、読み出したトラック番号およびセクタ番号を記憶部８に記憶させる。この際に、読み出したセクタ番号に基づいて、磁気ヘッド３（再生素子３ｒ）が磁気ディスク１０の回転方向におけるいずれの位置（本発明における回転位置）に位置しているかを特定することができる。また、読み出したトラック番号と、基準とするサーボトラック（または、データ記録トラック）（一例として、制御対象領域３１ａ〜３１ｈ内の各サーボトラックのうちの最内周のサーボトラック）のトラック番号とに基づいて、破線で示す同一回転半径位置と、制御対象領域３１ａ〜３１ｈ内の各サーボトラックのうちの最内周のサーボトラックの同一パターン半径位置との間に存在するサーボトラックの数（すなわち、同一回転半径位置と同一パターン半径位置との間の半径方向に沿った離間距離）を各回転位置毎に特定することができる。
【００７６】
したがって、制御部７は、離間距離として取得したサーボトラックのトラック数をセクタ番号（回転位置に関する情報の一例）に関連付けて記憶部８に記憶させる。これにより、図９に示すように、磁気ヘッド３（再生素子３ｒ）が位置した各回転位置（位置Ｐ４１ａ，Ｐ４１ｂ・・Ｐ４１ｈ等）に応じた離間距離についての情報が記憶部８に記憶される。この場合、上記の例では、磁気ヘッド３が磁気ディスク１０の内周側に位置する状態においてスイングアーム４ａをリミッター（回動規制部材）に押し付けた状態において離間距離を取得しているが、例えば、磁気ヘッド３が磁気ディスク１０の外周側に位置する状態においてスイングアーム４ａをリミッターに押し付けた状態（磁気ヘッド３が図６に示す一点鎖線を通過する状態）において離間距離を取得することもできる。また、上記の例では、磁気ヘッド３が通過した同一回転半径位置と、制御対象領域３１ａ〜３１ｈ内の各サーボトラックのうちの最内周のサーボトラックの同一パターン半径位置との間の離間距離を取得しているが、例えば、磁気ヘッド３が通過した同一回転半径位置とパターン中心Ｃｐとの間の離間距離を取得した場合においても、各回転半径位置毎の離間距離の相違量は、上記の例と同様となる。以上により、本発明における離間距離取得処理が完了する。
【００７７】
続いて、制御部７は、本発明におけるオフセット量特定処理を実行して、各制御対象領域３１ａ〜３８ｈの対応するオフセット量を特定する。このオフセット量特定処理では、制御部７は、上記の基準オフセット量取得処理によって取得した基準オフセット量と、離間距離取得処理によって取得した離間距離（各回転位置毎のトラック数の情報）とに基づいて各制御対象領域３１ａ〜３８ｈ毎のオフセット量を特定可能なオフセット量情報Ｄｏを生成する処理を実行する。具体的には、制御部７は、まず、上記の離間距離取得処理によって取得した離間距離に基づき、最大の離間距離と最小の離間距離との中間の離間距離が取得された回転位置を特定する。この際には、一例として、図９に示すように、位置Ｐ４１ａ，Ｐ４１ｅが特定される。
【００７８】
次いで、制御部７は、各制御対象領域３１ａ〜３８ｈのそれぞれのオフセット量を演算する。具体的には、パターン中心Ｃｐに対して、上記の位置Ｐ４１ａ，Ｐ４１ｅと同一方向（同一の回転位置）に存在する制御対象領域３１ａ〜３８ａ，３１ｅ〜３８ｅ（パターン中心Ｃｐからの距離（パターン半径）と、回転中心Ｃｒからの距離（回転半径）とが等しい領域）については、基準オフセット量取得処理時にその制御対象領域内において半径方向および回転方向の両方向で中央部に位置するセクタと同一のパターン半径位置に対応する基準オフセット量として記憶部８に記憶させた値（磁気ディスク１０の１回転当りにおける再生信号の出力レベルの平均値に基づいて取得されることで、同一パターン半径位置と同一回転半径位置とが実質的に同一となっている半径位置に対応する基準オフセット量）がその制御対象領域内のセクタ（本発明における所望の記録再生位置）に対応するオフセット量として規定される。この際に、例えば、制御対象領域３１ａ，３１ｅに対応するオフセット量としては、その中央部のセクタと同一パターン半径位置に位置する位置Ｐ３１の半径位置に対応する基準オフセット量が規定され、制御対象領域３８ａ，３８ｅに対応するオフセット量としては、その中央部のセクタと同一パターン半径位置に位置する位置Ｐ３８の半径位置に対応する基準オフセット量が規定される。
【００７９】
また、制御対象領域３１ｂ〜３８ｂ，３１ｃ〜３８ｃ，３１ｄ〜３８ｄのように、離間距離取得処理時において、上記の位置Ｐ４１ａ，Ｐ４１ｅよりも長い離間距離（トラック数）が取得された位置Ｐ４１ｂ〜Ｐ４１ｄと同一方向（同一の回転位置）に存在する制御対象領域（パターン中心Ｃｐからの距離（パターン半径）と、回転中心Ｃｒからの距離（回転半径）とが相違し、「パターン半径＜回転半径」となっている領域）については、各々の離間距離として取得されたトラック数から、上記の位置Ｐ４１ａ，Ｐ４１ｅの離間距離として取得されたサーボトラックのトラック数に対応するデータ記録トラックのトラック数を減じたトラック数分だけその制御対象領域の中央部のデータ記録トラックから外周側に位置しているデータ記録トラックのトラック番号に関連付けられた基準オフセット量（この例では、基準オフセット量取得処理時において、補完処理によって求められた基準オフセット量）がその制御対象領域内のセクタ（本発明における所望の記録再生位置）に対応するオフセット量として規定される。
【００８０】
さらに、制御対象領域３１ｆ〜３８ｆ，３１ｇ〜３８ｇ，３１ｈ〜３８ｈのように、離間距離取得処理時において、上記の位置Ｐ４１ａ，Ｐ４１ｅよりも短い離間距離（トラック数）が取得された位置Ｐ４１ｆ〜Ｐ４１ｈと同一方向（同一の回転位置）に存在する制御対象領域（パターン中心Ｃｐからの距離（パターン半径）と、回転中心Ｃｒからの距離（回転半径）とが相違し、「パターン半径＞回転半径」となっている領域）については、各々の離間距離として取得されたトラック数から、上記の位置Ｐ４１ａ，Ｐ４１ｅの離間距離として取得されたサーボトラックのトラック数に対応するデータ記録トラックのトラック数を減じたトラック数分だけその制御対象領域の中央部のデータ記録トラックから内周側に位置しているデータ記録トラックのトラック番号に関連付けられた基準オフセット量がその制御対象領域内のセクタ（本発明における所望の記録再生位置）に対応するオフセット量として規定される。
【００８１】
このように、基準オフセット量取得処理によって取得した各半径位置（各データ記録トラック）毎の基準オフセット量と、離間距離取得処理によって取得した各回転位置（各セクタ）毎の離間距離（トラック数）とに基づいて、各制御対象領域３１ａ〜３８ｈの６４個の制御対象領域について、対応するオフセット量が規定されて、このオフセット量を特定可能なオフセット量情報Ｄｏが制御部７によって生成されて記憶部８に記憶される。この後、制御部７は、生成したオフセット量情報Ｄｏを記憶部８に記憶させて、このオフセット量情報取得処理を終了する。これにより、記憶部８に記憶されたオフセット量情報Ｄｏを用いて前述したようにしてトラッキングサーボ制御が実行される。
【００８２】
次いで、ハードディスクドライブ１によるオフセット量情報取得処理の実施形態の他の一例について、図面を参照して説明する。なお、上記のオフセット量情報取得処理の実施形態において説明した内容と重複する内容については、その説明を省略する。
【００８３】
まず、制御部７は、本発明における離間距離取得処理を実行する。なお、この離間距離取得処理については、前述した離間距離取得処理と同様の手順のため、その説明を省略する。次いで、制御部７は、本発明における基準オフセット量取得処理を実行する。この場合、前述したオフセット量情報取得処理では、本発明における基準オフセット量取得処理時において、制御部７が磁気ディスク１０の一回転に亘って測定用信号を書き込み、書き込んだ測定用信号についての再生信号の一回転当りの平均値に基づいて各半径位置の基準オフセット量を求めているが、このオフセット量情報取得処理における基準オフセット量取得処理時においては、磁気ディスク１０上の任意の一部に測定用信号を書き込み、書き込んだ測定用信号についての再生信号に基づいて各半径位置の基準オフセット量を求める。
【００８４】
具体的には、制御部７は、まず、上記の離間距離取得処理によって取得した磁気ディスク１０における各回転位置毎の離間距離に基づき、基準オフセット量取得処理時に測定用信号の書き込みおよび読み出しを実行する領域を特定する。この際には、最大の離間距離と最小の離間距離との中間の離間距離が取得された回転位置、すなわち、パターン中心Ｃｐからの距離（パターン半径）と、回転中心Ｃｒからの距離（回転半径）とが等しい回転位置（この例では、位置Ｐ４１ａ，Ｐ４１ｅの回転位置）を特定する。次いで、制御部７は、パターン中心Ｃｐに対して、特定した両回転位置のうちのいずれか一方（一例として、位置Ｐ４１ａの回転位置）と同じ方向に位置する制御対象領域（制御対象領域３１ａ〜３８ａ）内に測定用信号を書き込む旨を決定する。この際に、制御部７は、一例として、制御対象領域３１ａにおける位置Ｐ３１の半径位置、制御対象領域３２ａにおける位置Ｐ３２の半径位置、制御対象領域３３ａにおける位置Ｐ３３の半径位置、制御対象領域３４ａにおける位置Ｐ３４の半径位置、制御対象領域３５ａにおける位置Ｐ３５の半径位置、制御対象領域３６ａにおける位置Ｐ３６の半径位置、制御対象領域３７ａにおける位置Ｐ３７の半径位置、および制御対象領域３８ａにおける位置Ｐ３８の半径位置の８つの半径位置（本発明における「所定のピッチ」の一例：図６参照）において、対応する８つの基準オフセット量を取得する旨を決定する。
【００８５】
この際に、制御部７は、一例として、位置Ｐ３１の半径位置の基準オフセット量については、制御対象領域３１ａ内において位置Ｐ３１に位置するセクタのデータトラックパターン領域Ａｔ（データ記録トラック）に対して、測定用信号の書き込みと、書き込んだ測定用信号の読み出しとを複数回に亘って実行することでオフセット量を取得し、位置Ｐ３２の半径位置の基準オフセット量については、制御対象領域３２ａ内において位置Ｐ３２に位置するセクタのデータトラックパターン領域Ａｔ（データ記録トラック）に対して、測定用信号の書き込みと、書き込んだ測定用信号の読み出しとを複数回に亘って実行することでオフセット量を取得する。また、制御部７は、位置Ｐ３３〜Ｐ３８の各半径位置の基準オフセット量については、位置Ｐ３１，Ｐ３２の半径位置についてのオフセット量の取得時と同様にして、制御対象領域３３ａ〜３８ａ内において各位置Ｐ３３〜Ｐ３８に位置するセクタのデータトラックパターン領域Ａｔ（データ記録トラック）に対して、測定用信号の書き込みと、書き込んだ測定用信号の読み出しとを複数回に亘って実行することでそれぞれオフセット量を取得する。
【００８６】
具体的には、制御部７は、モータ２を制御して磁気ディスク１０を回転させつつ、図１０に示すように、一例として、再生素子３ｒの中心Ｃ３ｒが上記の位置Ｐ３１において位置Ｐｒ１を通過するように磁気ヘッド３を位置させた状態で磁気ヘッド３をトラッキングサーボ制御しつつ、記録素子３ｗを介してデータ記録トラックに測定用信号を書き込む。この際に、記録素子３ｗは、その中心Ｃ３ｗが位置Ｐｗ１を通過する位置に位置する。次いで、制御部７は、位置Ｐｒ１よりも外周側の例えば位置Ｐｒ１ａを中心Ｃ３ｒが通過するように磁気ヘッド３を移動させた状態において、磁気ヘッド３をトラッキングサーボ制御しつつ、再生素子３ｒを介して測定用信号を読み出し、その再生信号の出力レベルを取得する。この際には、再生素子３ｒの読み出し幅方向の一部が測定用信号の記録領域と重なる状態となるため、同図に矢印Ｃ１で示す出力レベルで磁気ヘッド３から再生信号が出力される。
【００８７】
次いで、制御部７は、一例として、サーボトラックのトラックピッチに対する１／２０だけ磁気ヘッド３を内周側に移動させて再生素子３ｒの中心Ｃ３ｒが位置Ｐ３１において位置Ｐｒ１ｂを通過するように磁気ヘッド３を移動させた状態で再生素子３ｒを介して測定用信号を読み出す。この際には、再生素子３ｒの読み出し幅方向におけるさらに多くの部位が測定用信号の記録領域と重なる状態となるため、同図に矢印Ｃ２で示す出力レベルで磁気ヘッド３から再生信号が出力される。このように、トラックピッチに対する１／２０だけ磁気ヘッド３を内周側に移動させ、その都度、測定用信号を読み出すことにより、再生素子３ｒの位置に応じて同図に一点鎖線Ｌ１で示すような出力レベルで磁気ヘッド３から再生信号が出力される。
【００８８】
続いて、制御部７は、上記の処理によって書き込んだ測定用信号を消去した後に、再生素子３ｒの中心Ｃ３ｒが一例として、位置Ｐ３１においてサーボトラックのトラックピッチに対する１／１０だけ位置Ｐｒ１よりも内周側の位置Ｐｒ２を通過するように磁気ヘッド３を位置させた状態で磁気ヘッド３をトラッキングサーボ制御しつつ、記録素子３ｗを介してデータ記録トラックに測定用信号を書き込む。なお、同図では、本発明についての理解を容易とするために、サーボトラックのトラックピッチに対する１／１０よりも大きく磁気ヘッド３を移動させた状態（位置Ｐｒ１，Ｐｒ２間の距離がサーボトラックのトラックピッチに対する１／１０よりも長い状態）を図示している。
【００８９】
この際に、記録素子３ｗは、その中心Ｃ３ｗが位置Ｐｗ２を通過する位置に位置する。次いで、制御部７は、再生素子３ｒの中心Ｃ３ｒが位置Ｐｒ２よりも外周側の例えば位置Ｐｒ２ａを通過するように磁気ヘッド３を移動させた状態で磁気ヘッド３をトラッキングサーボ制御しつつ、再生素子３ｒを介して測定用信号を読み出し、その再生信号の出力レベルを取得する。また、制御部７は、サーボトラックのトラックピッチに対する１／２０だけ内周側に磁気ヘッド３を移動させて、再生素子３ｒの中心Ｃ３ｒが位置Ｐｒ２ｂを通過するように磁気ヘッド３を移動させた状態で磁気ヘッド３をトラッキングサーボ制御しつつ、再生素子３ｒを介して測定用信号を読み出す処理を繰り返して実行する。これにより、再生素子３ｒの位置に応じて同図に破線Ｌ２で示すような出力レベルで測定用信号が読み出される。
【００９０】
次いで、制御部７は、位置Ｐ３１において、サーボトラックのトラックピッチに対する１／１０だけ位置Ｐｒ２よりも内周側の位置Ｐｒ３を再生素子３ｒの中心Ｃ３ｒが通過する位置で（記録素子３ｗの中心Ｃ３ｗが位置Ｐｗ３を通過する位置で）磁気ヘッド３をトラッキングサーボ制御しつつ、測定用信号を書き込むと共に、磁気ヘッド３を外周側の所定位置に移動させた状態において測定用信号を読み出す処理を開始し、その後に、トラックピッチに対する１／２０だけ磁気ヘッド３を内周側に移動させた状態において、再生素子３ｒを介して測定用信号を読み出す処理を繰り返して実行する。これにより、再生素子３ｒの位置に応じて同図に実線Ｌ３で示すような出力レベルで磁気ヘッド３から再生信号が出力される。
【００９１】
同様にして、制御部７は、再生素子３ｒの中心Ｃ３ｒが位置Ｐ３１において位置Ｐｒ４，Ｐｒ５を通過する位置で（記録素子３ｗの中心Ｃ３ｗが位置Ｐｗ４，Ｐｗ５を通過する位置で）測定用信号を書き込むと共に、磁気ヘッド３を外周側の所定位置に移動させた状態において測定用信号を読み出す処理を開始し、その後に、トラックピッチに対する１／２０だけ磁気ヘッド３を内周側に移動させた状態において、再生素子３ｒを介して測定用信号を読み出す処理を繰り返して実行する。これにより、再生素子３ｒの位置に応じて同図に破線Ｌ４および二点鎖線Ｌ５で示すような出力レベルで磁気ヘッド３から再生信号が出力される。
【００９２】
次いで、制御部７は、上記の処理において測定用信号の読み出し時において最も高い出力レベル（この例では、矢印Ｃ３で示す出力レベル）の再生信号が磁気ヘッド３から出力された際の再生素子３ｒの位置（この例では、位置Ｐｒ３ｎ）と、その再生信号の元となる測定用信号の書き込み時における再生素子３ｒの位置（この例では、位置Ｐ３ｒ）とを特定する。なお、上記の例における位置Ｐｒ１，Ｐｒ２・・Ｐｒ５のピッチ（この例では、サーボトラックのトラックピッチに対する１／１０のピッチ）が小さいときには、「出力レベルが最も高い測定用信号の書き込み時における再生素子３ｒの位置」が複数存在することがある。この際には、複数の位置のうちの任意の位置（一例として、各位置のうちの半径方向における中央部の位置）を特定する。続いて、制御部７は、特定した位置Ｐｒ３ｎ，Ｐｒ３のデータトラックパターン２０ｔの半径方向に沿った距離を特定し、特定した距離をそのセクタ（この例では、制御対象領域３１ａの中央部のセクタ）に対応するオフセット量、すなわち、位置Ｐ３１の半径位置の基準オフセット量（図７参照）として記憶部８に記憶させる。
【００９３】
この後、制御部７は、位置Ｐ３２の半径位置、位置Ｐ３３の半径位置、位置Ｐ３４の半径位置、位置Ｐ３５の半径位置、位置Ｐ３６の半径位置、位置Ｐ３７の半径位置、および位置Ｐ３８の半径位置の７つの半径位置に対応する７つの基準オフセット量についても、上記の位置Ｐ３１の半径位置における基準オフセット量の取得時と同様の手順によって対応する基準オフセット量をそれぞれ取得して記憶部８に記憶させる。これにより、図７に示すように、磁気ディスク１０上の各同一パターン半径位置に対応する基準オフセット量がそれぞれ取得される。この場合、制御部７は、各半径位置毎の基準オフセット量を記憶部８に記憶させる際に、一例として、上記の測定用信号の書き込みおよび読み出しを実行したセクタ（オフセット量を実測したセクタ）の半径位置におけるデータ記録トラックのトラック番号に関連付けて記憶させる。
【００９４】
また、オフセット量を実測したセクタの半径位置以外の半径位置については、実測したオフセット量を用いた補完処理によって求めて、対応する半径位置におけるデータ記録トラックのトラック番号に関連付けて記憶部８に記憶させる。この場合、各半径位置毎の基準オフセット量を記憶部８に記憶させる際に、対応する半径位置のデータ記録トラックのトラック番号に関連付けてさせているが、対応する半径位置のサーボトラックのトラック番号に関連付けて記憶させることもできる。以上により、本発明における基準オフセット量取得処理が完了する。なお、上記の例では、一例として、制御対象領域３１ａ〜３８ｈに対応させて「位置Ｐ３１〜位置Ｐ３８の半径位置の基準オフセット量」を実測して記憶部８に記憶させているが、制御対象領域３１ａ〜３８ａとは無関係に磁気ディスク１０の内周部から外周部まで予め規定された所定のピッチでオフセット量を実測すると共に、その他の半径位置については、補完処理によってオフセット量を求めることで、図７に示す基準オフセット量を取得する方法を採用することもできる。
【００９５】
次いで、制御部７は、本発明におけるオフセット量特定処理を実行して、各制御対象領域３１ａ〜３８ｈの対応するオフセット量を特定する。このオフセット量特定処理では、制御部７は、上記の基準オフセット量取得処理によって取得した基準オフセット量と、離間距離取得処理によって取得した離間距離（各回転位置毎のトラック数の情報）とに基づいて各制御対象領域３１ａ〜３８ｈ毎のオフセット量を特定可能なオフセット量情報Ｄｏを生成する処理を実行する。
【００９６】
具体的には、パターン中心Ｃｐに対して、最大の離間距離と最小の離間距離との中間の離間距離が取得された回転位置として特定している位置（この例では、位置Ｐ４１ａ，Ｐ４１ｅ）と同一方向（同一の回転位置）に存在する制御対象領域３１ａ〜３８ａ，３１ｅ〜３８ｅ（パターン中心Ｃｐに対して、基準オフセット量取得処理時に測定用信号を書き込んだ領域と同じ方向に位置する各領域、およびそれらの領域に対してパターン中心Ｃｐを挟んで対向する各領域：パターン半径と回転半径とが等しい各領域）については、基準オフセット量取得処理時にその制御対象領域内において半径方向および回転方向の両方向で中央部に位置するセクタと同一のパターン半径位置に対応する基準オフセット量として記憶部８に記憶させた値をその制御対象領域に対応するオフセット量として規定する。この際に、例えば、制御対象領域３１ａ，３１ｅに対応するオフセット量としては、その中央部のセクタが同一パターン半径位置に位置する位置Ｐ３１の半径位置に対応する基準オフセット量が規定され、制御対象領域３８ａ，３８ｅに対応するオフセット量としては、その中央部のセクタが同一パターン半径位置に位置する位置Ｐ３８の半径位置に対応する基準オフセット量が規定される。
【００９７】
また、制御対象領域３１ｂ〜３８ｂ，３１ｃ〜３８ｃ，３１ｄ〜３８ｄのように、離間距離取得処理時において、位置Ｐ４１ａ，Ｐ４１ｅよりも長い離間距離（トラック数）が取得された位置Ｐ４１ｂ〜Ｐ４１ｄと同一方向（同一の回転位置）に存在する制御対象領域については、各々の離間距離として取得されたトラック数から、上記の位置Ｐ４１ａ，Ｐ４１ｅの離間距離として取得されたサーボトラックのトラック数に対応するデータ記録トラックのトラック数を減じたトラック数分だけ、その制御対象領域の中央部のデータ記録トラックから外周側に位置しているデータ記録トラックのトラック番号に関連付けられている基準オフセット量（この例では、基準オフセット量取得処理時において、補完処理によって求められた基準オフセット量）がその制御対象領域内のセクタ（本発明における所望の記録再生位置）に対応するオフセット量として規定される。
【００９８】
さらに、制御対象領域３１ｆ〜３８ｆ，３１ｇ〜３８ｇ，３１ｈ〜３８ｈのように、位置Ｐ４１ａ，Ｐ４１ｅよりも短い離間距離（トラック数）が取得された位置Ｐ４１ｆ〜Ｐ４１ｇと同一方向（同一の回転位置）に存在する制御対象領域については、各々の離間距離として取得されたトラック数から、上記の位置Ｐ４１ａ，Ｐ４１ｅの離間距離として取得されたサーボトラックのトラック数に対応するデータ記録トラックのトラック数を減じたトラック数分だけ、その制御対象領域の中央部のデータ記録トラックから内周側に位置しているデータ記録トラックのトラック番号に関連付けられている基準オフセット量（この例では、基準オフセット量取得処理時において、補完処理によって求められた基準オフセット量）がその制御対象領域内のセクタ（本発明における所望の記録再生位置）に対応するオフセット量として規定される。
【００９９】
このように、基準オフセット量取得処理によって取得した各同一パターン半径位置毎の基準オフセット量（この例では、各データ記録トラック毎の基準オフセット量であり、かつ、各同一回転半径位置毎の基準オフセット量）と、離間距離取得処理によって取得した各回転位置（各セクタ）毎の離間距離（トラック数）とに基づいて、各制御対象領域３１ａ〜３８ｈの６４個の制御対象領域について、対応するオフセット量が規定されて、このオフセット量を特定可能なオフセット量情報Ｄｏが制御部７によって生成されて記憶部８に記憶される。この後、制御部７は、生成したオフセット量情報Ｄｏを記憶部８に記憶させて、このオフセット量情報取得処理を終了する。これにより、記憶部８に記憶されたオフセット量情報Ｄｏを用いて前述したようにしてトラッキングサーボ制御が実行される。
【０１００】
このように、このハードディスクドライブ１および制御部７によるトラッキングサーボ制御方法では、制御部７が、複合型の磁気ヘッド３における再生素子３ｒおよび記録素子３ｗのいずれか一方の素子（この例では、記録素子３ｗ）に対するトラッキングサーボ制御時において、記憶部８に記憶されているオフセット量情報Ｄｏに基づいて特定したオフセット量に応じて調整量を磁気ディスク１０の１回転当りに１回以上変化させて磁気ヘッド３のヘッド位置を調整する。これにより、このハードディスクドライブ１およびトラッキングサーボ制御方法によれば、１つのデータ記録トラックにつき１つの調整量（オフセット量）を用いたトラッキングサーボ制御が実行される従来の記録再生装置とは異なり、データトラックパターン２０ｔの周方向に沿った各記録再生位置に対応するオフセット量に基づいて求めた調整量を目標値として磁気ヘッド３のヘッド位置を調整することで、磁気ディスク１０の一回転に亘って記録素子３ｗをデータ記録トラックに確実にオントラックさせることができる。
【０１０１】
したがって、データ記録トラックに対する磁気的信号の書き込み幅が不足する事態（記録エラーの発生）を招くことなく、十分な書き込み幅でデータ記録トラックに磁気的信号を書き込むことができる結果、その磁気的信号の再生時において、十分に高い出力レベルの再生信号を得ることができる。これにより、再生エラーを招くことなく、記録データを正常に再生することができる。また、サイドライト現象を招くことなく、所望のデータ記録トラックに対してのみ、確実に記録データを記録することができる。
【０１０２】
また、このハードディスクドライブ１では、制御部７が、所定の１つの制御対象領域に含まれるデータ記録トラックに再生素子３ｒおよび記録素子３ｗのいずれか一方の素子（この例では、記録素子３ｗ）をトラッキングさせる際にその１つの制御対象領域に対応して規定されたオフセット量に基づいて求めた調整量を目標値として磁気ヘッド３のヘッド位置を調整する。これにより、このハードディスクドライブ１によれば、例えば、磁気ディスク１０上における各回転位置毎のスイングアーム４ａの回動量に応じて磁気ヘッド３のヘッド位置の調整量を連続的に無段階で変更する構成とは異なり、各制御対象領域３１ａ〜３８ｈ毎に個別的に用意されたオフセット量に基づいて、各制御対象領域３１ａ〜３８ｈ毎の調整量を容易に求めることができるため、制御部７によるトラッキングサーボ制御が容易となる分だけ、十分に高速なトラッキングサーボ制御を実行することができる。したがって、磁気ディスク１０を高速回転させるときにおいても、磁気ヘッド３（記録素子３ｗ）を所望のデータ記録トラックに対して確実にオントラックさせることができる。
【０１０３】
さらに、このハードディスクドライブ１では、制御部７が、一例として、以下の２通りのオフセット量情報取得処理のいずれかを実行してオフセット量情報Ｄｏを生成する。具体的には、第１の処理方法では、制御部７が、磁気ディスク１０上の各同一回転半径位置（この例では、同一回転半径位置および同一パターン半径位置の双方に相当する半径位置）に対応する基準オフセット量を所定のピッチで取得する基準オフセット量取得処理と、磁気ディスク１０上の所定の同一パターン半径位置と各同一回転半径位置のうちの所定の１つとの間の磁気ディスク１０の回転半径方向に沿った離間距離を磁気ディスク１０の回転方向に沿った各回転位置に対応して所定のピッチで取得する離間距離取得処理と、各同一回転半径位置に対応する基準オフセット量および各回転位置に対応する離間距離に基づいて磁気ディスク１０上の制御対象領域内のセクタ（本発明における所望の記録再生位置）に対応するオフセット量を特定するオフセット量特定処理とを実行して、特定したオフセット量に基づいてオフセット量情報Ｄｏを生成する。
【０１０４】
第２の処理方法では、制御部７が、磁気ディスク１０上の各同一パターン半径位置に対応する基準オフセット量を所定のピッチで取得する基準オフセット量取得処理と、磁気ディスク１０上の所定の同一回転半径位置と各同一パターン半径位置のうちの所定の１つとの間のデータトラックパターン２０ｔの半径方向に沿った離間距離を磁気ディスク１０の回転方向に沿った各回転位置に対応して所定のピッチで取得する離間距離取得処理と、各同一パターン半径位置に対応する基準オフセット量および各回転位置に対応する離間距離に基づいて磁気ディスク１０上の制御対象領域内のセクタ（本発明における所望の記録再生位置）に対応するオフセット量を特定するオフセット量特定処理とを実行して、特定したオフセット量に基づいてオフセット量情報Ｄｏを生成する。
【０１０５】
これにより、このハードディスクドライブ１によれば、例えば、磁気ディスク１０の一枚当りにおける制御対象領域の数が多いときにおいて、各制御対象領域毎にオフセット量を個別的に測定してオフセット量情報Ｄｏを生成する構成の記録再生装置と比較して、オフセット量情報Ｄｏの生成に要する時間を十分に短縮することができる。
【０１０６】
また、このハードディスクドライブ１では、制御部７が、上記の基準オフセット量取得処理時において、各半径位置のトラック番号に関連付けて本発明における基準オフセット量を取得し、離間距離取得処理時において、同一回転半径位置の各セクタからセクタ番号およびトラック番号を読み出すと共に、所定の同一回転半径位置の各セクタを各回転位置として、基準トラックのトラック番号と、各セクタ毎のトラック番号とに基づいて各セクタと基準トラックとの間のトラック数を本発明における離間距離としてそれぞれ取得し、オフセット量特定処理時において、所望の記録再生位置（この例では上記した制御対象領域内の所望のセクタ）と同方向に位置するセクタの離間距離として取得されたサーボトラックのトラック数に対応するデータ記録トラックのトラック数分だけ所望の記録再生位置から離間するデータ記録トラックのトラック番号に関連付けられた基準オフセット量を所望の記録再生位置のオフセット量として特定する。これにより、このハードディスクドライブ１によれば、本発明における離間距離測定処理時において、例えば磁気ディスク１０上の実際の距離を測定する構成とは異なり、一般的なハードディスクドライブに搭載されている機構を利用して離間距離を測定することができるため、実際の距離を測定するための専用の機構を設けなくても済む分だけ、ハードディスクドライブ１の製造コストを低減することができる。
【０１０７】
なお、本発明は、上記の構成および方法に限定されない。例えば、磁気ディスク１０をデータトラックパターン２０ｔの半径方向および周方向の両方向に分割した各制御対象領域毎の対応するオフセット量を特定可能なオフセット量情報Ｄｏを用いてトラッキングサーボ制御を実行する構成のハードディスクドライブ１について説明したが、本発明に係る記録再生装置の構成はこれに限定されない。具体的には、一例として、対応するオフセット量がオフセット量情報Ｄｏとして記憶部８に記憶されている制御対象領域のうちの所定の１つに含まれるデータ記録トラックに再生素子３ｒおよび記録素子３ｗのいずれか一方の素子をトラッキングさせる際には、その１つの制御対象領域に対応して規定されたオフセット量をオフセット量情報Ｄｏに基づいて特定すると共に、特定したオフセット量に基づいて求めた調整量を目標値として磁気ヘッド３のヘッド位置を調整し、対応するオフセット量が記憶部８に記憶されている制御対象領域以外の制御対象領域のうちの所定の１つに含まれるデータ記録トラックに上記の一方の素子をトラッキングさせる際には、記憶部８に記憶されているオフセット量情報Ｄｏを用いた補完処理によってその１つの制御対象領域に対応するオフセット量を求めて、その求めたオフセット量に基づいて求めた調整量を目標値として磁気ヘッド３のヘッド位置を調整するように構成することができる。
【０１０８】
このような構成を採用したハードディスクドライブによれば、記憶部８内に記憶させるべきオフセット量の数が少なくて済む（オフセット量情報Ｄｏのデータサイズが小さくて済む）分だけ、少容量の記憶素子で記憶部８を構成することができる。したがって、ハードディスクドライブの製造コストを十分に低減することができる。
【０１０９】
また、基準オフセット量取得処理によって取得した各半径位置に対応する基準オフセット量と、離間距離取得処理によって取得した各回転位置に対応する離間距離とに基づいて各制御対象領域３１ａ〜３８ｈに対応するオフセット量を特定可能なオフセット量情報Ｄｏを生成する処理方法について、２通りの処理方向を例に挙げて説明したが、本発明におけるオフセット量情報取得処理は、このような方法に限定されない。例えば、各制御対象領域３１ａ〜３８ｈ毎に対応するオフセット量を個別的に測定してオフセット量情報Ｄｏを生成することもできる。このような方法によってオフセット量情報Ｄｏを生成するように構成したハードディスクドライブによれば、実際の測定によって取得された実体に即した正確なオフセット量でオフセット量情報Ｄｏを構成することができる。したがって、トラッキングサーボ制御時において、各制御対象領域３１ａ〜３８ｈ毎に実体に即した調整量を求めて正確なヘッド位置の調整を行うことができるため、記録エラー、再生エラー、サイドライト現象およびサイドリード現象の発生を確実に回避することができる。
【０１１０】
さらに、各制御対象領域３１ａ〜３８ｈに対応するオフセット量のうちの一部のオフセット量を対応する各制御対象領域毎に個別的に測定すると共に、それ以外のオフセット量を各制御対象領域毎に測定したオフセット量を用いた補完処理によって求め、測定したオフセット量と求めたオフセット量とに基づいてオフセット量情報Ｄｏを生成することもできる。このような方法によってオフセット量情報Ｄｏを生成するように構成したハードディスクドライブによれば、制御対象領域３１ａ〜３８ｈのすべてを対象としてオフセット量を測定する構成のハードディスクドライブと比較して、磁気ディスク一枚当りのオフセット量の測定回数が少なくて済む分だけ、オフセット量情報Ｄｏの生成に要する時間を一層短縮することができる。
【０１１１】
また、データトラックパターン領域Ａｔ内に形成された凸部２１（データ記録トラック：記録領域）を用いて基準オフセット量を測定する方法について説明したが、本発明はこれに限定されず、サーボパターン領域Ａｓ内のいずれかの凸部２１や、データトラックパターン領域Ａｔおよびサーボパターン領域Ａｓとは別個に設けたオフセット量測定用の領域内の凸部２１（図示せず）を用いて基準オフセット量（または、各制御対象領域に対応するオフセット量）を測定する方法を採用することもできる。
【０１１２】
さらに、回転方向に沿って連続する１０個のセクタを５０トラック分だけグループ化した領域を本発明における制御対象領域としてヘッド位置を調整する構成について説明したが、本発明における制御対象領域を構成するセクタの数はこれに限定されず、回転方向に沿って連続する任意の複数のセクタを任意の複数のトラック分だけグループ化した領域を本発明における制御対象領域とすることができる。また、１つの制御対象領域を構成するセクタの半径方向および周方向の数は、複数個に限定されず、１つの制御対象領域を構成するセクタの半径方向の数を１つで、周方向の数を２つ以上として磁気ディスク１０上に複数の制御対象領域を規定することができる。さらに、１つの制御対象領域を構成するセクタの周方向の数を１つで、半径方向の数を２つ以上として磁気ディスク１０上に複数の制御対象領域を規定することができる。また、磁気ディスク１０上の１つのセクタを１つの制御対象領域として規定することもできる。このように、１つの制御対象領域内に含ませるセクタの数については、一例として、１つのオフセット量でヘッド位置を調整したときに正確なトラッキングが可能な範囲内のセクタ数に規定することができる。
【０１１３】
また、凹凸パターン２０（データトラックパターン２０ｔおよびサーボパターン２０ｓ）における各凸部２１の突端部から基端部までの全体を磁性層１４（磁性材料）で形成した磁気ディスク１０を例に挙げて説明したが、本発明における磁気記録媒体の構成はこれに限定されない。具体的には、例えば、図１１に示す磁気ディスク１０Ａのように、ガラス基材１１に形成した凹凸パターン（凹凸パターン２０と凹凸の位置関係が同様の凹凸パターン）を覆うようにして薄厚の磁性層１４を形成することにより、その表面が磁性材料で形成された複数の凸部２１と底面が磁性材料で形成された複数の凹部２２とによって凹凸パターン２０（データトラックパターン２０ｔおよびサーボパターン２０ｓ）を構成することができる。さらに、図１２に示す磁気ディスク１０Ｂのように、各凸部２１のみならず、各凹部２２の底部を含めて磁性層１４で形成して凹凸パターン２０を構成することもできる。また、図１３に示す磁気ディスク１０Ｃのように、その突端部のみが磁性層１４で形成されて基端部側が非磁性材料または軟磁性材料（この例では、ガラス基材１１）で形成された複数の凸部２１を備えて凹凸パターン２０を構成することもできる。この場合、磁気ディスク１０Ｃにおける凹部２２の底面にも薄厚の磁性層１４が形成されていてもよい。
【０１１４】
さらに、非磁性材料の層に形成した凹部内に上記の磁性層１４を構成する磁性材料を埋め込むことで非磁性材料の層における凸部の部位を非記録領域（磁気ディスク１０等における凹部２２に対応する領域）とし、凹部内に埋め込まれた磁性層の部位を記録領域（磁気ディスク１０等における凸部２１に対応する領域）として磁気ディスクを構成することもできる（図示せず）。また、磁性材料の層における所望の領域を選択的に変質させることで磁気的信号を読み出し可能に保持する能力が周囲よりも低い領域、または、その能力を実質的に有しない領域を形成し、磁気的信号を読み出し可能に保持する能力が高い領域を記録領域（磁気ディスク１０等における凸部２１に対応する領域）とし、磁気的信号を読み出し可能に保持する能力が低い領域を非記録領域（磁気ディスク１０等における凹部２２に対応する領域）として磁気ディスクを構成することもできる（図示せず）。
【０１１５】
さらに、データトラックパターン２０ｔおよびサーボパターン２０ｓの双方を凸部２１および凹部２２を有する凹凸パターン２０で構成した例について説明したが、本発明における磁気記録媒体はこれに限定されず、サーボパターン領域Ａｓ内に凹凸パターン２０でサーボパターン２０ｓを形成すると共に、データトラックパターン領域Ａｔ内に連続磁性膜（凹凸が存在しない平坦な磁性層１４）を形成して記録データの記録再生を可能に構成することもできる。また、サーボパターン領域Ａｓおよびデータトラックパターン領域Ａｔの双方を連続磁性膜で構成してサーボパターン領域Ａｓ内に磁気的パターンによってサーボパターンを書き込むと共に、記録データの記録時に記録素子３ｗが通過した位置にデータ記録トラックが形成される連続記録膜型の磁気ディスクを搭載したハードディスクドライブに本発明に係る記録再生装置の構成を採用することができる。
【０１１６】
このような連続記録膜型の磁気ディスクを搭載したハードディスクドライブでは、例えば、図１８の左図に示すように、再生素子３ｒが位置Ｐ１においてサーボパターンによって規定される仮想的なデータ記録トラックのトラック中心Ｃｔに位置している状態において記録素子３ｗを介して磁気的信号が書き込まれたときには、そのトラック中心Ｃｔから距離Ｈａだけ離間した部位（破線Ｌ１１ａで示す部位）をトラック中心Ｃｔｘとして実際のデータ記録トラックが形成される。したがって、記録データの読み出し時においては、図１４の左図に示すように、上記の位置Ｐ１の近傍においては、オフセット量としての距離Ｈａに基づいて求めた調整量を目標値として磁気ヘッド３のヘッド位置を調整することで、実際のデータ記録トラックのトラック中心Ｃｔｘ（同図に破線Ｌ１１ａで示す部位）に再生素子３ｒの中心Ｃ３ｒを一致させる（再生素子３ｒをデータ記録トラックにオントラックさせる）ことができる。
【０１１７】
また、図１８の右図に示すように、再生素子３ｒが位置Ｐ２において仮想的なデータ記録トラックのトラック中心Ｃｔに位置している状態において記録素子３ｗを介して磁気的信号が書き込まれたときには、そのトラック中心Ｃｔから距離Ｈｂだけ離間した部位（破線Ｌ１１ｂで示す部位）をトラック中心Ｃｔｘとして実際のデータ記録トラックが形成される。したがって、記録データの読み出し時においては、図１４の右図に示すように、上記の位置Ｐ２の近傍においては、オフセット量としての距離Ｈｂに基づいて求めた調整量を目標値として磁気ヘッド３のヘッド位置を調整することで、実際のデータ記録トラックのトラック中心Ｃｔｘ（同図に破線Ｌ１１ｂで示す部位）に再生素子３ｒの中心Ｃ３ｒを一致させる（再生素子３ｒをデータ記録トラックにオントラックさせる）ことができる。
【０１１８】
このため、磁気ディスク１０Ｄを搭載したハードディスクドライブにおいては、本発明における「一方の素子」としての再生素子３ｒに対するトラッキングサーボ制御時において、各再生位置に対応するオフセット量となるように、磁気ディスク１０Ｄの１回転当りにオフセット量を１回以上変化させる構成を採用すればよい。このように、磁気ディスク１０Ｄを備えて本発明に係るトラッキングサーボ制御方法に従ってトラッキングサーボ制御を実行するように構成されたハードディスクドライブ（記録再生装置）よれば、データトラックパターンの周方向に沿った各記録再生位置に対応するオフセット量で磁気ヘッド３のヘッド位置を調整して磁気ディスク１０Ｄの一回転に亘って再生素子３ｒをデータ記録トラックに確実にオントラックさせることができる。したがって、データ記録トラックからの磁気的信号の読み出し幅が不足する事態を招くことなく、十分な読み出し幅でデータ記録トラックから磁気的信号を読み出すことができる結果、十分に高い出力レベルの再生信号を得ることができる。これにより、再生エラーを招くことなく、記録データを正常に再生することができる。また、サイドリード現象を招くことなく、所望のデータ記録トラックのみから、確実に記録データを読み出すことができる。
【０１１９】
なお、磁気ディスク１０Ｄを搭載したハードディスクドライブにおいては、上記のように、記録データの読み出し時（再生時）においてオフセット量に応じて再生素子３ｒをデータ記録トラックにオントラックさせるように磁気ヘッド３のヘッド位置を調整する構成に限定されない。例えば、前述した磁気ディスク１０を搭載したハードディスクドライブ１と同様にして、記録データの書き込み時（記録時）においてオフセット量に応じて磁気ヘッド３のヘッド位置を調整する構成を採用することもできる。加えて、各制御対象領域毎に１つのオフセット量を用いたトラッキングサーボ制御を実行する例について説明したが、例えば、１つのセクタ内であってもスイングアーム４ａの回動に伴ってオフセット量を連続的に無段階または多段階で変更して磁気ヘッド３をトラッキングさせる構成を採用することができる。このような構成を採用することで、制御対象領域内において１つのオフセット量を用いてトラッキングサーボ制御する構成よりも一層高精度なヘッド位置調整を行うことができる。
【図面の簡単な説明】
【０１２０】
【図１】ハードディスクドライブ１の構成を示す構成図である。
【図２】磁気ディスク１０，１０Ａ〜１０Ｄの平面図である。
【図３】磁気ディスク１０の断面図である。
【図４】磁気ディスク１０，１０Ａ〜１０Ｃにおけるデータトラックパターン領域Ａｔおよびサーボパターン領域Ａｓの平面図である。
【図５】左図は、磁気ヘッド３における記録素子３ｗを所定のセクタにおけるデータ記録トラックのトラック中心Ｃｔに位置させた状態の磁気ヘッド３および磁気ディスク１０，１０Ａ〜１０Ｃの平面図であり、右図は、記録素子３ｗを他の所定のセクタにおけるデータ記録トラックのトラック中心Ｃｔに位置させた状態の磁気ヘッド３および磁気ディスク１０，１０Ａ〜１０Ｃの平面図である。
【図６】回転中心Ｃｒとパターン中心Ｃｐとの位置ずれ状態について説明するための磁気ディスク１０，１０Ａ〜１０Ｄの平面図である。
【図７】磁気ヘッド３の半径方向における位置と、各位置におけるオフセット量との関係について説明するための説明図である。
【図８】各半径位置においてオフセット量ＯＷを取得する方法について説明するための磁気ディスク１０，１０Ａ〜１０Ｃの平面図である。
【図９】所定の同一パターン半径位置と所定の同一回転半径位置との間の各回転位置毎の回転半径方向に沿った離間距離（トラック数）について説明するための説明図である。
【図１０】各半径位置においてオフセット量ＯＷを取得する他の方法について説明するための磁気ディスク１０，１０Ａ〜１０Ｃの平面図である。
【図１１】磁気ディスク１０Ａの断面図である。
【図１２】磁気ディスク１０Ｂの断面図である。
【図１３】磁気ディスク１０Ｃの断面図である。
【図１４】左図は、磁気ヘッド３における再生素子３ｒを所定のセクタにおける実際のデータ記録トラックのトラック中心Ｃｔｘにトラッキングさせる際に距離Ｈａに基づいて求めた調整量を目標値としてヘッド位置を調整させた状態の磁気ヘッド３および磁気ディスク１０Ｄの平面図であり、右図は、再生素子３ｒを他の所定のセクタにおける実際のデータ記録トラックのトラック中心Ｃｔｘにトラッキングさせる際に距離Ｈｂに基づいて求めた調整量を目標値としてヘッド位置を調整させた状態の磁気ヘッド３および磁気ディスク１０Ｄの平面図である。
【図１５】回転中心Ｃｒとパターン中心Ｃｐとが位置ずれしている状態における磁気ヘッド３の動きについて説明するための磁気ディスク１０，１０Ａ〜１０Ｄおよび磁気ヘッド３の平面図である。
【図１６】左図は、磁気ヘッド３における再生素子３ｒを所定のセクタにおけるデータ記録トラックのトラック中心Ｃｔに位置させた状態の磁気ヘッド３および磁気ディスク１０，１０Ａ〜１０Ｃの平面図であり、右図は、再生素子３ｒを他の所定のセクタにおけるデータ記録トラックのトラック中心Ｃｔに位置させた状態の磁気ヘッド３および磁気ディスク１０，１０Ａ〜１０Ｃの平面図である。
【図１７】左図は、磁気ヘッド３における記録素子３ｗを所定のセクタにおけるデータ記録トラックのトラック中心Ｃｔにトラッキングさせる際に距離Ｈａに基づいて求めた調整量を目標値としてヘッド位置を調整させた状態の磁気ヘッド３および磁気ディスク１０，１０Ａ〜１０Ｃの平面図であり、右図は、記録素子３ｗを他の所定のセクタにおけるデータ記録トラックのトラック中心Ｃｔにトラッキングさせる際に距離Ｈａに基づいて求めた調整量を目標値としてヘッド位置を調整させた状態の磁気ヘッド３および磁気ディスク１０，１０Ａ〜１０Ｃの平面図である。
【図１８】左図は、磁気ヘッド３における再生素子３ｒを所定のセクタにおける仮想的なデータ記録トラックのトラック中心Ｃｔに位置させた状態の磁気ヘッド３および磁気ディスク１０Ｄの平面図であり、右図は、再生素子３ｒを他の所定のセクタにおける仮想的なデータ記録トラックのトラック中心Ｃｔに位置させた状態の磁気ヘッド３および磁気ディスク１０Ｄの平面図である。
【図１９】左図は、磁気ヘッド３における再生素子３ｒを所定のセクタにおける実際のデータ記録トラックのトラック中心Ｃｔｘにトラッキングさせる際に距離Ｈａに基づいて求めた調整量を目標値としてヘッド位置を調整させた状態の磁気ヘッド３および磁気ディスク１０Ｄの平面図であり、右図は、再生素子３ｒを他の所定のセクタにおける実際のデータ記録トラックのトラック中心Ｃｔｘにトラッキングさせる際に距離Ｈａに基づいて求めた調整量を目標値としてヘッド位置を調整させた状態の磁気ヘッド３および磁気ディスク１０Ｄの平面図である。
【符号の説明】
【０１２１】
１  ハードディスクドライブ
２  モータ
３  磁気ヘッド
３ｒ  再生素子
３ｗ  記録素子
４  アクチュエータ
４ａ  スイングアーム
５  検出部
６  ドライバ
７  制御部
８  記憶部
１０，１０Ａ〜１０Ｄ  磁気ディスク
２０ｓ  サーボパターン
２０ｔ  データトラックパターン
３１ａ〜３８ｈ  制御対象領域
Ａｓ  サーボパターン領域
Ａｔ  データトラックパターン領域
Ｃ３ｒ，Ｃ３ｗ  中心
Ｃ４  回動中心
Ｃｐ  パターン中心
Ｃｒ  回転中心
Ｃｔ，Ｃｔｘ  トラック中心
Ｄｏ  オフセット量情報
Ｄｐ  測定処理プログラム
Ｄｓ  サーボ制御情報
Ｈａ〜Ｈｃ  距離
ＯＷ  オフセット量
Ｓ１  サーボ信号
Ｓ２  制御信号
【図１】
2008210434.tif 000003
【図２】
2008210434.tif 000004
【図３】
2008210434.tif 000005
【図４】
2008210434.tif 000006
【図５】
2008210434.tif 000007
【図６】
2008210434.tif 000008
【図７】
2008210434.tif 000009
【図８】
2008210434.tif 000010
【図９】
2008210434.tif 000011
【図１０】
2008210434.tif 000012
【図１１】
2008210434.tif 000013
【図１２】
2008210434.tif 000014
【図１３】
2008210434.tif 000015
【図１４】
2008210434.tif 000016
【図１５】
2008210434.tif 000017
【図１６】
2008210434.tif 000018
【図１７】
2008210434.tif 000019
【図１８】
2008210434.tif 000020
【図１９】
2008210434.tif 000021